(57)【要約】      （修正有）【課題】ボイスメールメッセージを管理するための、ユーザインターフェイスを提供する。【解決手段】タッチスクリーンディスプレイ上で、ボイスメールメッセージのリストを表示するステップと、そのリスト内のボイスメールメッセージのユーザによる選択を検出するステップと、ボイスメールメッセージのユーザ選択に応答して選択したボイスメールメッセージの再生を開始するステップと、ボイスメールメッセージを再生している位置を示す進行バーを表示するステップと、進行バー上の第１位置から進行バー上の第２位置へのユーザの指の移動に応答して進行バー上の第２位置でボイスメールメッセージの再生を再スタートするステップと、を備えている。【選択図】図６Ａ
2019164785.tif 000002
【特許請求の範囲】
【請求項１】
タッチスクリーンディスプレイを伴うポータブル電子装置でのコンピュータ実施方法において、
ボイスメールメッセージのリストを表示するステップと、
前記タッチスクリーンディスプレイ上でのユーザによるスクロールジェスチャーを検出するステップであって、そのスクロールジェスチャーは、前記タッチスクリーンディスプレイ上でのユーザの指の実質的な垂直移動より成るものであるステップと、
前記スクロールジェスチャーに応答して、前記ボイスメールメッセージのリストをスクロールするステップと、
前記リストにおける各ボイスメールメッセージの、ユーザによる選択を検出するステップと、
各ボイスメールメッセージの前記ユーザ選択に応答して、
そのユーザ選択されたボイスメールメッセージの再生を開始し、
そのユーザ選択されたボイスメールメッセージに対する進行バーを表示する、
というステップと、
バックアップアイコンの、ユーザによる選択を検出するステップと、
バックアップアイコンの前記ユーザ選択に応答して、前記ユーザ選択されたボイスメールメッセージの再生を所定量だけバックアップするステップと、
スピードアップアイコンの、ユーザによる選択を検出するステップと、
スピードアップアイコンの前記ユーザ選択に応答して、前記ユーザ選択されたボイスメールメッセージの再生スピードを増加するステップと、
前記進行バー上の第１位置から前記進行バー上の第２位置へのユーザの指の移動を検出するステップと、
前記指の移動の検出に応答して、前記進行バー上の第２位置に実質的に対応する前記ユーザ選択されたボイスメールメッセージ内の位置で前記ユーザ選択されたボイスメールメッセージの再生を再スタートするステップと、を備えたコンピュータ実施方法。
【請求項２】
タッチスクリーンディスプレイを伴うポータブル電子装置でのコンピュータ実施方法において、
ボイスメールメッセージのリストを表示するステップと、
前記リストにおける各ボイスメールメッセージの、ユーザによる選択を検出するステップと、
各ボイスメールメッセージの前記ユーザ選択に応答して、そのユーザ選択されたボイスメールメッセージの再生を開始するステップと、
前記ユーザ選択されたボイスメールメッセージに対する進行バーを表示するステップであって、この進行バーが、再生された前記ユーザ選択されたボイスメールメッセージの部分を指示するようなステップと、
前記進行バー上の第１位置から前記進行バー上の第２位置へのユーザの指の移動を検出するステップと、
前記指の移動の検出に応答して、
前記進行バー上の第２位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の第２位置に実質的に対応するように変化させる、
というステップと、を備えたコンピュータ実施方法。
【請求項３】
スクロールジェスチャーを検出するステップと、
前記スクロールジェスチャーに応答して、ボイスメールメッセージのリストをスクロールするステップと、を更に備えた請求項２に記載のコンピュータ実施方法。
【請求項４】
前記スクロールジェスチャーは、前記タッチスクリーンディスプレイ上でのユーザの指の実質的に垂直の移動を含む、請求項３に記載のコンピュータ実施方法。
【請求項５】
前記スクロールジェスチャーは、タッチスクリーン上での水平位置を有し、前記スクロールジェスチャーを検出する前記ステップは、前記タッチスクリーン上でのジェスチャーの水平位置とは独立している、請求項３に記載のコンピュータ実施方法。
【請求項６】
各ボイスメールメッセージの、ユーザによる選択を検出する前記ステップは、各ボイスメールメッセージ上でのユーザの指によるタップジェスチャーを検出することを含む、請求項２に記載のコンピュータ実施方法。
【請求項７】
各ボイスメールメッセージのユーザ選択に応答する前記ステップは、前記リストにおける各ボイスメールメッセージをハイライト状態にすることを含む、請求項２に記載のコンピュータ実施方法。
【請求項８】
バックアップアイコンの、ユーザによる選択を検出するステップと、
バックアップアイコンの前記ユーザ選択に応答して、そのユーザ選択されたボイスメールメッセージの再生を所定量だけバックアップするステップと、
スピードアップアイコンの、ユーザによる選択を検出するステップと、
スピードアップアイコンの前記ユーザ選択に応答して、前記ユーザ選択されたボイスメールメッセージの再生スピードを増加するステップと、を更に備えた請求項２に記載のコンピュータ実施方法。
【請求項９】
前記規定量は、１ないし５秒である、請求項８に記載のコンピュータ実施方法。
【請求項１０】
再生スピードを増加する前記ステップは、再生スピードを少なくとも５０％増加することを含む、請求項８に記載のコンピュータ実施方法。
【請求項１１】
増加された再生スピードで再生されるボイスメールメッセージに対して、再生の音声周波数又はピッチを調整するステップを更に備えた、請求項８に記載のコンピュータ実施方法。
【請求項１２】
タッチスクリーンディスプレイを伴うポータブル電子装置のグラフィックユーザインターフェイスにおいて、
ボイスメールメッセージのリストと、
進行バーと、
を備え、前記リスト内の各ボイスメールメッセージの、ユーザによる選択を検出するのに応答して、そのユーザ選択されたボイスメールメッセージの再生が開始され、
前記進行バーは、再生された前記ユーザ選択されたボイスメールメッセージの部分を指示し、
前記進行バー上の第１位置から進行バー上の第２位置へのユーザの指の移動を検出するのに応答して、
前記進行バー上の第２位置に実質的に対応する前記ユーザ選択されたボイスメールメッセージ内の位置で前記ユーザ選択されたボイスメールメッセージの再生が再スタートされ、そして
再生された前記ユーザ選択されたボイスメールメッセージの前記指示された部分が、前記進行バー上の第２位置に実質的に対応するように変化される、グラフィックユーザインターフェイス。
【請求項１３】
バックアップアイコン及びスピードアップアイコンを備え、
バックアップアイコンの、ユーザによる選択を検出するのに応答して、そのユーザ選択されたボイスメールメッセージの再生が所定量だけバックアップされ、
スピードアップアイコンの、ユーザによる選択を検出するのに応答して、前記ユーザ選択されたボイスメールメッセージの再生スピードが増加される、請求項１２に記載のグラフィックユーザインターフェイス。
【請求項１４】
タッチスクリーンディスプレイと、
１つ以上のプロセッサと、
メモリと、
前記メモリに記憶されて、前記１つ以上のプロセッサによって実行されるように構成された１つ以上のプログラムと、
を備え、前記１つ以上のプログラムは、
ボイスメールメッセージのリストを表示するためのインストラクションと、
前記リスト内の各ボイスメールメッセージの、ユーザによる選択を検出するためのインストラクションと、
各ボイスメールメッセージの前記ユーザ選択に応答して、そのユーザ選択されたボイスメールメッセージの再生を開始するためのインストラクションと、
前記ユーザ選択されたボイスメールメッセージに対する進行バーを表示するためのインストラクションであって、この進行バーが、再生された前記ユーザ選択されたボイスメールメッセージの部分を指示するようなインストラクションと、
前記進行バー上の第１位置から前記進行バー上の第２位置へのユーザの指の移動を検出するためのインストラクションと、
前記指の移動の検出に応答して、
前記進行バー上の第２位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の第２位置に実質的に対応するように変化させる、
ためのインストラクションと、を含むものである、ポータブル電子装置。
【請求項１５】
タッチスクリーンディスプレイを伴うポータブル電子装置によって実行されるべき１つ以上のプログラムを記憶するコンピュータ読み取り可能な記憶媒体において、このコンピュータ読み取り可能な記憶媒体に記憶される前記１つ以上のプログラムは、
ボイスメールメッセージのリストを表示するためのインストラクションと、
前記リスト内の各ボイスメールメッセージの、ユーザによる選択を検出するためのインストラクションと、
各ボイスメールメッセージの前記ユーザ選択に応答して、そのユーザ選択されたボイスメールメッセージの再生を開始するためのインストラクションと、
前記ユーザ選択されたボイスメールメッセージに対する進行バーを表示するためのインストラクションであって、この進行バーが、再生された前記ユーザ選択されたボイスメールメッセージの部分を指示するようなインストラクションと、
前記進行バー上の第１位置から前記進行バー上の第２位置へのユーザの指の移動を検出するためのインストラクションと、
前記指の移動の検出に応答して、
前記進行バー上の第２位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の第２位置に実質的に対応するように変化させる、ためのインストラクションと、を含むものである、コンピュータ読み取り可能な記憶媒体。
【請求項１６】
タッチスクリーンディスプレイを伴うポータブル電子装置において、
ボイスメールメッセージのリストを表示する手段と、
前記リスト内の各ボイスメールメッセージの、ユーザによる選択を検出する手段と、
各ボイスメールメッセージの前記ユーザ選択に応答して、そのユーザ選択されたボイスメールメッセージの再生を開始する手段と、
前記ユーザ選択されたボイスメールメッセージに対する進行バーを表示する手段であって、この進行バーが、再生された前記ユーザ選択されたボイスメールメッセージの部分を指示するような手段と、
前記進行バー上の第１位置から前記進行バー上の第２位置へのユーザの指の移動を検出する手段と、
前記指の移動の検出に応答して、
前記進行バー上の第２位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の第２位置に実質的に対応するように変化させる、ための手段と、を備えたポータブル電子装置。
【請求項１７】
タッチスクリーンディスプレイを伴うポータブル電子装置でのコンピュータ実施方法において、
ボイスメールメッセージのリストを表示するステップと、
前記リストにおける各ボイスメールメッセージの、ユーザによる選択を検出するステップと、
各ボイスメールメッセージの前記ユーザ選択に応答して、そのユーザ選択されたボイスメールメッセージの再生を開始するステップと、
前記ユーザ選択されたボイスメールメッセージに対する進行バーを表示するステップであって、この進行バーが、再生された前記ユーザ選択されたボイスメールメッセージの部分を指示するようなステップと、
前記進行バー上の位置でユーザの指を検出するステップと、
前記指の検出に応答して、
前記進行バー上の前記指の位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の前記指の位置に実質的に対応するように変化させるステップと、を備えたコンピュータ実施方法。
【請求項１８】
タッチスクリーンディスプレイを伴うポータブル電子装置のグラフィックユーザインターフェイスにおいて、
ボイスメールメッセージのリストと、
進行バーと、を備え、
前記リスト内の各ボイスメールメッセージの、ユーザによる選択を検出するのに応答して、そのユーザ選択されたボイスメールメッセージの再生が開始され、
前記進行バーは、再生された前記ユーザ選択されたボイスメールメッセージの部分を指示し、
前記進行バー上の位置でユーザの指を検出するのに応答して、
前記進行バー上の前記指の位置に実質的に対応する前記ユーザ選択されたボイスメールメッセージ内の位置で前記ユーザ選択されたボイスメールメッセージの再生が再スタートされ、そして
再生された前記ユーザ選択されたボイスメールメッセージの前記指示された部分が、前記進行バー上の前記指の位置に実質的に対応するように変化される、グラフィックユーザインターフェイス。
【請求項１９】
タッチスクリーンディスプレイと、
１つ以上のプロセッサと、
メモリと、
前記メモリに記憶されて、前記１つ以上のプロセッサによって実行されるように構成された１つ以上のプログラムと、を備え、
前記１つ以上のプログラムは、
ボイスメールメッセージのリストを表示するためのインストラクションと、
前記リスト内の各ボイスメールメッセージの、ユーザによる選択を検出するためのインストラクションと、
各ボイスメールメッセージの前記ユーザ選択に応答して、そのユーザ選択されたボイスメールメッセージの再生を開始するためのインストラクションと、
前記ユーザ選択されたボイスメールメッセージに対する進行バーを表示するためのインストラクションであって、この進行バーが、再生された前記ユーザ選択されたボイスメールメッセージの部分を指示するようなインストラクションと、
前記進行バー上の位置でユーザの指を検出するためのインストラクションと、
前記指の検出に応答して、
前記進行バー上の前記指の位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の前記指の位置に実質的に対応するように変化させる、ためのインストラクションと、を含むものである、ポータブル電子装置。
【請求項２０】
タッチスクリーンディスプレイを伴うポータブル電子装置によって実行されるべき１つ以上のプログラムを記憶するコンピュータ読み取り可能な記憶媒体において、このコンピュータ読み取り可能な記憶媒体に記憶される前記１つ以上のプログラムは、
ボイスメールメッセージのリストを表示するためのインストラクションと、
前記リスト内の各ボイスメールメッセージの、ユーザによる選択を検出するためのインストラクションと、
各ボイスメールメッセージの前記ユーザ選択に応答して、そのユーザ選択されたボイスメールメッセージの再生を開始するためのインストラクションと、
前記ユーザ選択されたボイスメールメッセージに対する進行バーを表示するためのインストラクションであって、この進行バーが、再生された前記ユーザ選択されたボイスメールメッセージの部分を指示するようなインストラクションと、
前記進行バー上の位置でユーザの指を検出するためのインストラクションと、
前記指の検出に応答して、
前記進行バー上の前記指の位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の前記指の位置に実質的に対応するように変化させる、ためのインストラクションと、を含むものである、コンピュータ読み取り可能な記憶媒体。
【請求項２１】
タッチスクリーンディスプレイを伴うポータブル電子装置において、
ボイスメールメッセージのリストを表示する手段と、
前記リスト内の各ボイスメールメッセージの、ユーザによる選択を検出する手段と、
各ボイスメールメッセージの前記ユーザ選択に応答して、そのユーザ選択されたボイスメールメッセージの再生を開始する手段と、
前記ユーザ選択されたボイスメールメッセージに対する進行バーを表示する手段であって、この進行バーが、再生された前記ユーザ選択されたボイスメールメッセージの部分を指示するような手段と、
前記進行バー上の位置でユーザの指を検出する手段と、
前記指の検出に応答して、
前記進行バー上の前記指の位置に実質的に対応する前記ユーザ選択されたボイスメールメッセージ内の位置で前記ユーザ選択されたボイスメールメッセージの再生を再スタートし、そして
再生された前記ユーザ選択されたボイスメールメッセージの前記指示された部分を、前記進行バー上の前記指の位置に実質的に対応するように変化させる、
ための手段と、を備えたポータブル電子装置。
【請求項２２】
タッチスクリーンディスプレイを伴うポータブル電子装置でのコンピュータ実施方法において、
ボイスメールメッセージのリストを表示するステップと、
前記リストにおける各ボイスメールメッセージの、ユーザによる選択を検出するステップと、
各ボイスメールメッセージの前記ユーザ選択に応答して、そのユーザ選択されたボイスメールメッセージの再生を開始するステップと、
前記タッチスクリーンディスプレイの規定のエリアとの指接触を検出するステップであって、前記規定のエリアは、前記タッチスクリーンディスプレイの規定のエリア内を第１方向にスライドするように構成された進行バーを含むようなステップと、
前記タッチスクリーンディスプレイ上の指接触の、前記規定のエリアから、前記規定のエリア以外の位置への移動を検出するステップであって、前記タッチスクリーンディスプレイ上の指接触の移動が、前記第１方向に平行な成分と、前記第１方向に垂直な成分とを有するようなステップと、
前記第１方向に平行な前記指接触の移動成分に基づいて前記規定エリア内で前記進行バーをスライドさせるステップと、
前記スライドされる進行バーの位置に実質的に対応する前記ユーザ選択されたボイスメールメッセージ内の位置で前記ユーザ選択されたボイスメールメッセージの再生を再スタートさせるステップと、を備えたコンピュータ実施方法。
【請求項２３】
タッチスクリーンディスプレイを伴うポータブル電子装置のグラフィックユーザインターフェイスにおいて、
ボイスメールメッセージのリストと、
進行バーと、を備え、
前記リスト内の各ボイスメールメッセージの、ユーザによる選択を検出するのに応答して、そのユーザ選択されたボイスメールメッセージの再生が開始され、更に、
前記タッチスクリーンディスプレイ上の規定のエリア内を第１方向にスライドするように構成された進行バーを含んでいる前記タッチスクリーンディスプレイ上の規定のエリアとの指接触を検出すること、及び
前記タッチスクリーンディスプレイ上の指接触の、前記規定のエリアから、前記規定のエリア以外の位置への移動であって、前記第１方向に平行な成分と、前記第１方向に垂直な成分とを有している移動を検出すること、
に応答して、
前記第１方向に平行な前記指接触の移動成分に基づき前記規定エリア内で前記進行バーがスライドされ、更に、
そのスライドされる進行バーの位置に実質的に対応する前記ユーザ選択されたボイスメールメッセージ内の位置で前記ユーザ選択されたボイスメールメッセージの再生が再スタートされる、ようにしたグラフィックユーザインターフェイス。
【請求項２４】
タッチスクリーンディスプレイと、
１つ以上のプロセッサと、
メモリと、
前記メモリに記憶されて、前記１つ以上のプロセッサによって実行されるように構成された１つ以上のプログラムと、
を備え、前記１つ以上のプログラムは、
ボイスメールメッセージのリストを表示するインストラクションと、
前記リスト内の各ボイスメールメッセージの、ユーザによる選択を検出するインストラクションと、
各ボイスメールメッセージの前記ユーザ選択に応答して、そのユーザ選択されたボイスメールメッセージの再生を開始するインストラクションと、
前記タッチスクリーンディスプレイの規定のエリアとの指接触を検出するインストラクションであって、前記規定のエリアは、前記タッチスクリーンディスプレイの規定のエリア内を第１方向にスライドするように構成された進行バーを含むようなインストラクションと、
前記タッチスクリーンディスプレイ上の指接触の、前記規定のエリアから、前記規定のエリア以外の位置への移動を検出するインストラクションであって、前記タッチスクリーンディスプレイ上の指接触の移動が、前記第１方向に平行な成分と、前記第１方向に垂直な成分とを有するようなインストラクションと、
前記第１方向に平行な前記指接触の移動成分に基づいて前記規定エリア内で前記進行バーをスライドさせるインストラクションと、
そのスライドされる進行バーの位置に実質的に対応する前記ユーザ選択されたボイスメールメッセージ内の位置で前記ユーザ選択されたボイスメールメッセージの再生を再スタートさせるインストラクションと、を含むものである、ポータブル電子装置。
【請求項２５】
タッチスクリーンディスプレイを伴うポータブル電子装置によって実行されるべき１つ以上のプログラムを記憶するコンピュータ読み取り可能な記憶媒体において、このコンピュータ読み取り可能な記憶媒体に記憶される前記１つ以上のプログラムは、
ボイスメールメッセージのリストを表示するインストラクションと、
前記リスト内の各ボイスメールメッセージの、ユーザによる選択を検出するインストラクションと、
各ボイスメールメッセージの前記ユーザ選択に応答して、そのユーザ選択されたボイスメールメッセージの再生を開始するインストラクションと、
前記タッチスクリーンディスプレイの規定のエリアとの指接触を検出するインストラクションであって、前記規定のエリアは、前記タッチスクリーンディスプレイの規定のエリア内を第１方向にスライドするように構成された進行バーを含むようなインストラクションと、
前記タッチスクリーンディスプレイ上の指接触の、前記規定のエリアから、前記規定のエリア以外の位置への移動を検出するインストラクションであって、前記タッチスクリーンディスプレイ上の指接触の移動が、前記第１方向に平行な成分と、前記第１方向に垂直な成分とを有するようなインストラクションと、
前記第１方向に平行な前記指接触の移動成分に基づいて前記規定エリア内で前記進行バーをスライドさせるインストラクションと、
そのスライドされる進行バーの位置に実質的に対応する前記ユーザ選択されたボイスメールメッセージ内の位置で前記ユーザ選択されたボイスメールメッセージの再生を再スタートするインストラクションと、を含むものである、コンピュータ読み取り可能な記憶媒体。
【請求項２６】
タッチスクリーンディスプレイを伴うポータブル電子装置において、
ボイスメールメッセージのリストを表示する手段と、
前記リスト内の各ボイスメールメッセージの、ユーザによる選択を検出する手段と、
各ボイスメールメッセージの前記ユーザ選択に応答して、そのユーザ選択されたボイスメールメッセージの再生を開始する手段と、
前記タッチスクリーンディスプレイの規定のエリアとの指接触を検出する手段であって、前記規定のエリアは、前記タッチスクリーンディスプレイの規定のエリア内を第１方向にスライドするように構成された進行バーを含むような手段と、
前記タッチスクリーンディスプレイ上の指接触の、前記規定のエリアから、前記規定のエリア以外の位置への移動を検出する手段であって、前記タッチスクリーンディスプレイ上の指接触の移動が、前記第１方向に平行な成分と、前記第１方向に垂直な成分とを有するような手段と、
前記第１方向に平行な前記指接触の移動成分に基づいて前記規定エリア内で前記進行バーをスライドさせる手段と、
そのスライドされる進行バーの位置に実質的に対応する前記ユーザ選択されたボイスメールメッセージ内の位置で前記ユーザ選択されたボイスメールメッセージの再生を再スタートさせる手段と、を備えたポータブル電子装置。
【発明の詳細な説明】
【技術分野】
【０００１】
ここに開示する実施形態は、一般的に、ポータブル電子装置に係り、より特定すると、ボイスメールにアクセスするポータブル装置に係る。
【背景技術】
【０００２】
ポータブル電子装置がよりコンパクトになり、所与の装置で遂行されるファンクションの数が増加するにつれて、ユーザがマルチファンクション装置と容易に対話できるようにするユーザインターフェイスを設計することが意義深い挑戦となっている。この挑戦は、デスクトップ及びラップトップコンピュータより非常に小さなスクリーンを有するハンドヘルドポータブル装置にとって特に意義深いものである。この状況は不利なものである。何故ならば、ユーザインターフェイスは、ユーザがコンテンツを受け取るだけでなく、装置の特徴、ツール及びファンクションにアクセスするユーザの試みを含むユーザのアクション又は振舞いに対する応答も受け取るゲートウェイだからである。あるポータブル通信装置（例えば、モバイルホン、セルホン、セルラー電話等とも時々称される移動電話）は、ユーザがデータにアクセスし、それを記憶し、又、操作できるようにするため、より多くのプッシュボタンを追加し、プッシュボタンの密度を高め、プッシュボタンのファンクションを過負荷状態にし、又は複雑なメニューシステムを使用することに頼っている。これらの従来のユーザインターフェイスは、ユーザが覚えねばならない複雑なキーシーケンス及びメニューハイアラーキーをしばしば招く。
【０００３】
又、物理的なプッシュボタンを含むような従来の多数のユーザインターフェイスは、融通性もない。これは、ユーザインターフェイスがポータブル装置で実行されるアプリケーション又はユーザのいずれかによって構成され及び／又は適応されるのを妨げることもあるので、不適切である。多数のキーシーケンス及びメニューハイアラーキーを覚えるための時間のかかる要求や、希望のプッシュボタンを操作する困難さと結び付いたときには、このような融通性のなさがほとんどのユーザにとってフラストレーションとなる。
【０００４】
セルラーホンのような多くのポータブル電子装置は、ボイスメールにアクセスすることができる。しかし、ボイスメールを検索し、それを聞き、それを削除し、さもなければ、それを管理するように装置のユーザインターフェイスを通してナビゲーションすることは、厄介であり、且つ非効率的である。
【０００５】
従って、使用、構成及び／又は適応が容易な、ボイスメールメッセージを管理するための、より透過的で、直感的で且つ効率的なユーザインターフェイスを伴うポータブルマルチファンクション装置が要望されている。
【発明の概要】
【０００６】
ポータブル装置のためのユーザインターフェイスに関連した前記欠点及び他の問題は、ここに開示するポータブルマルチファンクション装置によって緩和され又は排除される。ある実施形態では、この装置は、グラフィックユーザインターフェイス（ＧＵＩ）を伴うタッチ感知ディスプレイ（「タッチスクリーン」としても知られている）と、１つ以上のプロセッサと、メモリと、多数のファンクションを遂行するためメモリに記憶された１つ以上のモジュール、プログラム又はインストラクションセットとを有する。ある実施形態では、ユーザは、タッチ感知ディスプレイ上で主として指接触及びジェスチャーを通してＧＵＩと対話する。ある実施形態では、ファンクションは、電話通話、ビデオ会議、ｅ−メール、インスタントメッセージング、ブログ、デジタル写真、デジタルビデオ、ウェブブラウジング、デジタル音楽の再生、及び／又はデジタルビデオの再生を含んでもよい。これらのファンクションを遂行するためのインストラクションは、１つ以上のプロセッサで実行するように構成されたコンピュータ読み取り可能な記憶媒体に記憶されてもよい。
【０００７】
本発明の１つの態様において、タッチスクリーンディスプレイを伴うポータブル電子装置で遂行されるコンピュータ実施方法は、ボイスメールメッセージのリストを表示するステップと、そのリスト内の各ボイスメールメッセージの、ユーザによる選択を検出するステップと、各ボイスメールメッセージのユーザ選択に応答して、そのユーザ選択されたボイスメールメッセージの再生を開始するステップとを備えている。又、この方法は、ユーザ選択されたボイスメールメッセージに対する進行バーを表示するステップであって、この進行バーが、再生された前記ユーザ選択されたボイスメールメッセージの部分を指示するようなステップと、進行バー上の第１位置から進行バー上の第２位置へのユーザの指の移動を検出するステップと、この指の移動の検出に応答して、進行バー上の第２位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の第２位置に実質的に対応するように変化させるステップと、を備えている。
【０００８】
本発明の別の態様において、タッチスクリーンディスプレイを伴うポータブル電子装置のグラフィックユーザインターフェイスは、ボイスメールメッセージのリスト及び進行バーを備えている。そのリスト内の各ボイスメールメッセージの、ユーザによる選択を検出するのに応答して、そのユーザ選択されたボイスメールメッセージの再生が開始される。進行バーは、再生された前記ユーザ選択されたボイスメールメッセージの部分を指示する。進行バー上の第１位置から進行バー上の第２位置へのユーザの指の移動を検出するのに応答して、進行バー上の第２位置に実質的に対応する前記ユーザ選択されたボイスメールメッセージ内の位置で前記ユーザ選択されたボイスメールメッセージの再生が再スタートされ、そして再生された前記ユーザ選択されたボイスメールメッセージの前記指示された部分が、前記進行バー上の第２位置に実質的に対応するように変化される。
【０００９】
本発明の別の態様において、ポータブル電子装置は、タッチスクリーンディスプレイと、１つ以上のプロセッサと、メモリと、１つ以上のプログラムとを備えている。１つ以上のプログラムは、メモリに記憶されて、１つ以上のプロセッサによって実行されるように構成される。１つ以上のプログラムは、ボイスメールメッセージのリストを表示するためのインストラクションと、そのリスト内の各ボイスメールメッセージの、ユーザによる選択を検出するためのインストラクションと、各ボイスメールメッセージのユーザ選択に応答して、そのユーザ選択されたボイスメールメッセージの再生を開始するためのインストラクションと、ユーザ選択されたボイスメールメッセージに対する進行バーを表示するためのインストラクションであって、この進行バーが、再生された前記ユーザ選択されたボイスメールメッセージの部分を指示するようなインストラクションと、進行バー上の第１位置から進行バー上の第２位置へのユーザの指の移動を検出するためのインストラクションと、この指の移動の検出に応答して、進行バー上の第２位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の第２位置に実質的に対応するように変化させるためのインストラクションと、を含む。
【００１０】
本発明の別の態様において、コンピュータ読み取り可能な記憶媒体は、１つ以上のプログラムを記憶し、これらプログラムは、タッチスクリーンディスプレイを伴うポータブル電子装置により実行されたときに、該装置が、ボイスメールメッセージのリストを表示し、そのリスト内の各ボイスメールメッセージの、ユーザによる選択を検出し、各ボイスメールメッセージのユーザ選択に応答して、そのユーザ選択されたボイスメールメッセージの再生を開始し、ユーザ選択されたボイスメールメッセージに対する進行バーを表示し、この進行バーは、再生された前記ユーザ選択されたボイスメールメッセージの部分を指示するものであり、進行バー上の第１位置から進行バー上の第２位置へのユーザの指の移動を検出し、更に、この指の移動の検出に応答して、進行バー上の第２位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の第２位置に実質的に対応するように変化させる、ようにするインストラクションを含む。
【００１１】
本発明の別の態様において、タッチスクリーンディスプレイを伴うポータブル電子装置は、ボイスメールメッセージのリストを表示する手段と、そのリスト内の各ボイスメールメッセージの、ユーザによる選択を検出する手段と、各ボイスメールメッセージのユーザ選択に応答して、そのユーザ選択されたボイスメールメッセージの再生を開始する手段と、ユーザ選択されたボイスメールメッセージに対する進行バーを表示する手段であって、この進行バーが、再生された前記ユーザ選択されたボイスメールメッセージの部分を指示するような手段と、進行バー上の第１位置から進行バー上の第２位置へのユーザの指の移動を検出する手段と、この指の移動の検出に応答して、進行バー上の第２位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の第２位置に実質的に対応するように変化させるための手段と、を備えている。
【００１２】
本発明の別の態様において、タッチスクリーンディスプレイを伴うポータブル電子装置で遂行されるコンピュータ実施方法は、ボイスメールメッセージのリストを表示するステップと、そのリスト内の各ボイスメールメッセージの、ユーザによる選択を検出するステップと、各ボイスメールメッセージのユーザ選択に応答して、そのユーザ選択されたボイスメールメッセージの再生を開始するステップと、ユーザ選択されたボイスメールメッセージに対する進行バーを表示するステップであって、この進行バーが、再生された前記ユーザ選択されたボイスメールメッセージの部分を指示するようなステップと、進行バー上の位置でユーザの指を検出するステップと、この指の検出に応答して、進行バー上の指の位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、進行バー上の指の位置に実質的に対応するように変化させるステップと、を備えている。
【００１３】
本発明の別の態様において、タッチスクリーンディスプレイを伴うポータブル電子装置のグラフィックユーザインターフェイスは、ボイスメールメッセージのリストと、進行バーとを備えている。そのリスト内の各ボイスメールメッセージの、ユーザによる選択を検出するのに応答して、そのユーザ選択されたボイスメールメッセージの再生が開始される。進行バーは、再生された前記ユーザ選択されたボイスメールメッセージの部分を指示する。進行バー上の位置でユーザの指を検出するのに応答して、進行バー上の指の位置に実質的に対応する前記ユーザ選択されたボイスメールメッセージ内の位置で前記ユーザ選択されたボイスメールメッセージの再生が再スタートされ、そして再生された前記ユーザ選択されたボイスメールメッセージの前記指示された部分が、進行バー上の指の位置に実質的に対応するように変化される。
【００１４】
本発明の別の態様において、ポータブル電子装置は、タッチスクリーンディスプレイと、１つ以上のプロセッサと、メモリと、１つ以上のプログラムとを備えている。１つ以上のプログラムは、メモリに記憶されて、１つ以上のプロセッサによって実行されるように構成される。１つ以上のプログラムは、ボイスメールメッセージのリストを表示するためのインストラクションと、そのリスト内の各ボイスメールメッセージの、ユーザによる選択を検出するためのインストラクションと、各ボイスメールメッセージのユーザ選択に応答して、そのユーザ選択されたボイスメールメッセージの再生を開始するためのインストラクションと、ユーザ選択されたボイスメールメッセージに対する進行バーを表示するためのインストラクションであって、この進行バーが、再生された前記ユーザ選択されたボイスメールメッセージの部分を指示するようなインストラクションと、進行バー上の位置でユーザの指を検出するためのインストラクションと、この指の検出に応答して、進行バー上の指の位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の指の位置に実質的に対応するように変化させるためのインストラクションと、を含む。
【００１５】
本発明の別の態様において、コンピュータ読み取り可能な記憶媒体は、１つ以上のプログラムを記憶し、これらプログラムは、タッチスクリーンディスプレイを伴うポータブル電子装置によって実行されたときに、その装置が、ボイスメールメッセージのリストを表示し、そのリスト内の各ボイスメールメッセージの、ユーザによる選択を検出し、各ボイスメールメッセージのユーザ選択に応答して、そのユーザ選択されたボイスメールメッセージの再生を開始し、ユーザ選択されたボイスメールメッセージに対する進行バーを表示し、この進行バーは、再生された前記ユーザ選択されたボイスメールメッセージの部分を指示するものであり、進行バー上の位置でユーザの指を検出し、この指の検出に応答して、進行バー上の指の位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の指の位置に実質的に対応するように変化させる、ようにするインストラクションを含む。
【００１６】
本発明の別の態様において、タッチスクリーンディスプレイを伴うポータブル電子装置は、ボイスメールメッセージのリストを表示する手段と、そのリスト内の各ボイスメールメッセージの、ユーザによる選択を検出する手段と、各ボイスメールメッセージのユーザ選択に応答して、そのユーザ選択されたボイスメールメッセージの再生を開始する手段と、ユーザ選択されたボイスメールメッセージに対する進行バーを表示する手段であって、この進行バーが、再生された前記ユーザ選択されたボイスメールメッセージの部分を指示するような手段と、進行バー上の位置でユーザの指を検出する手段と、この指の検出に応答して、進行バー上の指の位置に実質的に対応する前記ユーザ選択されたボイスメールメッセージ内の位置で前記ユーザ選択されたボイスメールメッセージの再生を再スタートし、そして再生された前記ユーザ選択されたボイスメールメッセージの前記指示された部分を、前記進行バー上の指の位置に実質的に対応するように変化させる手段と、を備えている。
【００１７】
本発明の別の態様において、タッチスクリーンディスプレイを伴うポータブル電子装置で遂行されるコンピュータ実施方法は、ボイスメールメッセージのリストを表示するステップと、そのリスト内の各ボイスメールメッセージの、ユーザによる選択を検出するステップと、各ボイスメールメッセージのユーザ選択に応答して、そのユーザ選択されたボイスメールメッセージの再生を開始するステップと、タッチスクリーンディスプレイの規定のエリアとの指接触を検出するステップであって、前記規定のエリアは、タッチスクリーンディスプレイの規定のエリア内を第１方向にスライドするように構成された進行バーを含むようなステップと、タッチスクリーンディスプレイ上の指接触の、前記規定のエリアから、前記規定のエリア以外の位置への移動を検出するステップであって、前記タッチスクリーンディスプレイ上の指接触の移動が、前記第１方向に平行な成分と、前記第１方向に垂直な成分とを有するようなステップと、前記第１方向に平行な前記指接触の移動成分に基づいて前記規定エリア内で進行バーをスライドさせるステップと、そのスライドされる進行バーの位置に実質的に対応する前記ユーザ選択されたボイスメールメッセージ内の位置で前記ユーザ選択されたボイスメールメッセージの再生を再スタートするステップと、を備えている。
【００１８】
本発明の別の態様において、タッチスクリーンディスプレイを伴うポータブル電子装置のグラフィックユーザインターフェイスは、ボイスメールメッセージのリストと、進行バーとを備えている。そのリスト内の各ボイスメールメッセージの、ユーザによる選択を検出するのに応答して、そのユーザ選択されたボイスメールメッセージの再生が開始される。タッチスクリーンディスプレイ上の規定のエリア内を第１方向にスライドするように構成された進行バーを含んでいるタッチスクリーンディスプレイ上の規定のエリアとの指接触を検出すること、及びタッチスクリーンディスプレイ上の指接触の、前記規定のエリアから、前記規定のエリア以外の位置への移動であって、前記第１方向に平行な成分と、前記第１方向に垂直な成分とを有している移動を検出すること、に応答して、前記第１方向に平行な前記指接触の移動成分に基づいて前記規定エリア内で進行バーがスライドされ、更に、そのスライドされる進行バーの位置に実質的に対応する前記ユーザ選択されたボイスメールメッセージ内の位置で前記ユーザ選択されたボイスメールメッセージの再生が再スタートされる。
【００１９】
本発明の別の態様において、ポータブル電子装置は、タッチスクリーンディスプレイと、１つ以上のプロセッサと、メモリと、１つ以上のプログラムとを備えている。１つ以上のプログラムは、メモリに記憶されて、１つ以上のプロセッサによって実行されるように構成される。１つ以上のプログラムは、ボイスメールメッセージのリストを表示するインストラクションと、そのリスト内の各ボイスメールメッセージの、ユーザによる選択を検出するインストラクションと、各ボイスメールメッセージのユーザ選択に応答して、そのユーザ選択されたボイスメールメッセージの再生を開始するインストラクションと、タッチスクリーンディスプレイの規定のエリアとの指接触を検出するインストラクションであって、前記規定のエリアは、タッチスクリーンディスプレイの規定のエリア内を第１方向にスライドするように構成された進行バーを含むようなインストラクションと、タッチスクリーンディスプレイ上の指接触の、前記規定のエリアから、前記規定のエリア以外の位置への移動を検出するインストラクションであって、前記タッチスクリーンディスプレイ上の指接触の移動が、前記第１方向に平行な成分と、前記第１方向に垂直な成分とを有するようなインストラクションと、前記第１方向に平行な前記指接触の移動成分に基づいて前記規定エリア内で進行バーをスライドさせるインストラクションと、そのスライドされる進行バーの位置に実質的に対応する前記ユーザ選択されたボイスメールメッセージ内の位置で前記ユーザ選択されたボイスメールメッセージの再生を再スタートするインストラクションと、を備えている。
【００２０】
本発明の別の態様において、コンピュータ読み取り可能な記憶媒体は、１つ以上のプログラムを記憶し、これらプログラムは、タッチスクリーンディスプレイを伴うポータブル電子装置によって実行されたときに、その装置が、ボイスメールメッセージのリストを表示し、そのリスト内の各ボイスメールメッセージの、ユーザによる選択を検出し、各ボイスメールメッセージのユーザ選択に応答して、そのユーザ選択されたボイスメールメッセージの再生を開始し、タッチスクリーンディスプレイ上の規定のエリアとの指接触を検出し、前記規定のエリアは、タッチスクリーンディスプレイの規定のエリア内を第１方向にスライドするように構成された進行バーを含み、タッチスクリーンディスプレイ上の指接触の、前記規定のエリアから、前記規定のエリア以外の位置への移動を検出し、前記タッチスクリーンディスプレイ上の指接触の移動は、前記第１方向に平行な成分と、前記第１方向に垂直な成分とを有し、前記第１方向に平行な前記指接触の移動成分に基づいて前記規定エリア内で進行バーをスライドさせ、そのスライドされる進行バーの位置に実質的に対応する前記ユーザ選択されたボイスメールメッセージ内の位置で前記ユーザ選択されたボイスメールメッセージの再生を再スタートさせる、ようにするインストラクションを含む。
【００２１】
本発明の別の態様において、タッチスクリーンディスプレイを伴うポータブル電子装置は、ボイスメールメッセージのリストを表示する手段と、そのリスト内の各ボイスメールメッセージの、ユーザによる選択を検出する手段と、各ボイスメールメッセージのユーザ選択に応答して、そのユーザ選択されたボイスメールメッセージの再生を開始する手段と、タッチスクリーンディスプレイの規定のエリアとの指接触を検出する手段であって、前記規定のエリアは、タッチスクリーンディスプレイの規定のエリア内を第１方向にスライドするように構成された進行バーを含むような手段と、タッチスクリーンディスプレイ上の指接触の、前記規定のエリアから、前記規定のエリア以外の位置への移動を検出する手段であって、前記タッチスクリーンディスプレイ上の指接触の移動が、前記第１方向に平行な成分と、前記第１方向に垂直な成分とを有するような手段と、前記第１方向に平行な前記指接触の移動成分に基づいて前記規定エリア内で進行バーをスライドさせる手段と、そのスライドされる進行バーの位置に実質的に対応する前記ユーザ選択されたボイスメールメッセージ内の位置で前記ユーザ選択されたボイスメールメッセージの再生を再スタートする手段と、を備えている。
【００２２】
従って、本発明は、タッチスクリーンディスプレイを伴うポータブル電子装置においてボイスメールメッセージを検索し、それを聞き、さもなければ、管理するための直感的で、使い易いインターフェイスを提供する。
【００２３】
本発明の上述した実施形態及びその付加的な実施形態を良く理解するために、全図面にわたり対応する部分を同じ参照番号で示した添付図面を参照して、実施形態を詳細に説明する。
【図面の簡単な説明】
【００２４】
【図１】ある実施形態に基づくタッチ感知ディスプレイを伴うポータブルマルチファンクション装置を示すブロック図である。
【図２】ある実施形態に基づくタッチスクリーンを有するポータブルマルチファンクション装置を示す図である。
【図３】ある実施形態に基づくポータブル電子装置をアンロックするためのユーザインターフェイスを例示する図である。
【図４】ある実施形態に基づくポータブルマルチファンクション装置におけるアプリケーションのメニューのためのユーザインターフェイスを例示する図である。
【図５Ａ】ある実施形態に基づくボイスメールのためのユーザインターフェイスを例示する図である。
【図５Ｂ】ある実施形態に基づくボイスメールのためのユーザインターフェイスを例示する図である。
【図６Ａ】ある実施形態に基づきボイスメールメッセージにアクセスするためのプロセスのフローチャートである。
【図６Ｂ】ある実施形態に基づきボイスメールメッセージにアクセスするためのプロセスのフローチャートである。
【図６Ｃ】ある実施形態に基づきボイスメールメッセージにアクセスするためのプロセスのフローチャートである。
【発明を実施するための形態】
【００２５】
添付図面に示された実施形態を以下に詳細に説明する。以下の詳細な説明において、本発明を完全に理解するために多数の特定の細部について述べる。しかしながら、当業者であれば、本発明は、これらの特定の細部を伴わずに実施できることが明らかであろう。他の点で、これら実施形態の観点を不必要に不明瞭にしないために、良く知られた方法、手順、コンポーネント、回路及びネットワークは、詳細に説明しない。
【００２６】
ポータブルマルチファンクション装置、このような装置のためのユーザインターフェイス、及びこのような装置を使用するための関連プロセスの実施形態について説明する。ある実施形態では、装置は、ＰＤＡ及び／又は音楽プレーヤファンクションのような他のファンクションも含む移動電話のようなポータブル通信装置である。
【００２７】
ユーザインターフェイスは、タッチスクリーン、又はタッチスクリーン上に表示されるバーチャルクリックホイールに加えて、物理的なクリックホイールを含むことができる。クリックホイールとは、ホイールの角度変位又は装置のユーザによるホイールとの接触点に基づいて、ナビゲーションコマンドを与えることのできるユーザインターフェイス装置である。又、クリックホイールは、例えば、装置のユーザがホイールの少なくとも一部分又はホイールの中心を押し下げたときに、１つ以上のアイテムの選択に対応するユーザコマンドを与えるように使用することもできる。或いは又、タッチスクリーン面上のクリックホイール映像との接触を遮断すると、選択に対応するユーザコマンドを指示することができる。簡単化のために、以下の説明において、タッチスクリーンを含むポータブルマルチファンクション装置は、一実施形態として使用される。しかしながら、ユーザインターフェイス及びそれに関連するプロセスの幾つかは、物理的クリックホイール、物理的キーボード、マウス、及び／又はジョイスティックのような１つ以上の他の物理的ユーザインターフェイス装置を含む、パーソナルコンピュータ及びラップトップコンピュータのような他の装置にも適用できることを理解されたい。
【００２８】
この装置は、種々の他のアプリケーション、例えば、電話アプリケーション、ビデオ会議アプリケーション、ｅ−メールアプリケーション、インスタントメッセージングアプリケーション、ブログアプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーションをサポートする。
【００２９】
装置において実行することのできる種々のアプリケーションは、少なくとも１つの共通の物理的ユーザインターフェイス装置、例えば、タッチスクリーンを使用することができる。タッチスクリーンの１つ以上のファンクション、及び装置に表示される対応する情報は、アプリケーションごとに及び／又は各アプリケーション内で調整し及び／又は変更することができる。このように、装置の共通の物理的アーキテクチャー（タッチスクリーンのような）は、直感的及び透過的なユーザインターフェイスで種々のアプリケーションをサポートすることができる。
【００３０】
ユーザインターフェイスは、１つ以上のソフトキーボード実施形態を含むことができる。ソフトキーボード実施形態は、参考として内容をここに援用する２００６年７月２４日に出願された“Keyboards For Portable Electronic Devices”と題する米国特許出願第１１／４５９，６０６号、及び２００６年７月２４日に出願された“Touch Screen Keyboards For Portable Electronic Devices”と題する第１１／４５９，６１５号に説明されたように、キーボードの表示アイコン上に標準（ＱＷＥＲＴＹ）及び／又は非標準構成の記号を含むことができる。キーボード実施形態は、タイプライターの場合のような既存の物理的キーボードにおけるキーの数に対して減少された数のアイコン（又はソフトキー）を含むことができる。これは、ユーザがキーボードにおいて１つ以上のアイコン、ひいては、１つ以上の対応する記号を容易に選択できるようにする。キーボードの実施形態は、適応式とすることができる。例えば、表示されるアイコンは、１つ以上のアイコン及び／又は１つ以上の対応する記号を選択する等のユーザのアクションに基づいて変更することができる。ポータブル装置における１つ以上のアプリケーションは、共通の及び／又は異なるキーボード実施形態を使用することができる。従って、使用するキーボード実施形態は、少なくとも幾つかのアプリケーションに対して仕立てることができる。ある実施形態では、１つ以上のキーボード実施形態を各ユーザに対して仕立てることができる。例えば、各ユーザのワード使用履歴（辞書、スラング、個々の使用）に基づく。キーボード実施形態の幾つかは、１つ以上のアイコン、従って、ソフトキーボード実施形態を使用するときには１つ以上の記号、を選択するときのユーザエラーの確率を減少するように調整できる。
【００３１】
ここで、装置の実施形態に注意を向ける。図１は、ある実施形態に基づくタッチ感知ディスプレイ１１２を伴うポータブルマルチファンクション装置１００を示すブロック図である。タッチ感知ディスプレイ１１２は、便宜上「タッチスクリーン」とも称される。この装置１００は、メモリ１０２（１つ以上のコンピュータ読み取り可能な記憶媒体を含む）と、メモリコントローラ１２２と、１つ以上の処理ユニット（ＣＰＵ）１２０と、周辺インターフェイス１１８と、ＲＦ回路１０８と、オーディオ回路１１０と、スピーカ１１１と、マイクロホン１１３と、入力／出力（Ｉ／Ｏ）サブシステム１０６と、他の入力又は制御装置１１６と、外部ポート１２４と、を含むことができる。更に、装置１００は、１つ以上の光学的センサ１６４を含むこともできる。これらのコンポーネントは、１つ以上の通信バス又は信号ライン１０３を経て通信することができる。
【００３２】
装置１００は、ポータブルマルチファンクション装置１００の一例に過ぎず、又、装置１００は、図示された以上の又はそれ以下のコンポーネントを有してもよく、２つ以上のコンポーネントを組み合わせてもよく、或いは異なる構成又は配置のコンポーネントを有してもよいことが明らかである。図１に示す種々のコンポーネントは、１つ以上の信号処理及び／又は特定用途向け集積回路を含めて、ハードウェア、ソフトウェア、又はその両方の組合せで実施されてもよい。
【００３３】
メモリ１０２は、高速ランダムアクセスメモリを含み、又、不揮発性メモリ、例えば、１つ以上の磁気ディスク記憶装置、フラッシュメモリ装置、又は他の不揮発性ソリッドステートメモリ装置を含んでもよい。装置１００の他のコンポーネント、例えば、ＣＰＵ１２０及び周辺インターフェイス１１８によるメモリ１０２へのアクセスは、メモリコントローラ１２２によって制御することができる。
【００３４】
周辺インターフェイス１１８は、装置の入力及び出力周辺機器をＣＰＵ１２０及びメモリ１０２に結合する。１つ以上のプロセッサ１２０は、メモリ１０２に記憶された種々のソフトウェアプログラム及び／又はインストラクションセットを走らせ或いは実行して、装置１００の種々のファンクションを遂行し、データを処理する。
【００３５】
ある実施形態では、周辺インターフェイス１１８、ＣＰＵ１２０、及びメモリコントローラ１２２は、チップ１０４のような単一チップにおいて実施されてもよい。幾つかの他の実施形態では、それらは、個別のチップにおいて実施されてもよい。
【００３６】
ＲＦ（高周波）回路１０８は、電磁信号とも称されるＲＦ信号を受信し送信する。ＲＦ回路１０８は、電気信号と電磁信号との間で変換を行い、電磁信号を経て通信ネットワーク及び他の通信装置と通信する。ＲＦ回路１０８は、これらのファンクションを遂行するための良く知られた回路を含むことができ、アンテナシステムや、ＲＦトランシーバーや、１つ以上の増幅器や、チューナや、１つ以上の発振器や、デジタル信号プロセッサや、ＣＯＤＥＣチップセットや、加入者アイデンティティモジュール（ＳＩＭ）カードや、メモリ、等を含むが、これらに限定されない。ＲＦ回路１０８は、ネットワーク、例えば、ワールドワイドウェブ（ＷＷＷ）とも称されるインターネットや、イントラネット及び／又はワイヤレスネットワーク、例えば、セルラー電話ネットワーク、ワイヤレスローカルエリアネットワーク（ＬＡＮ）及び／又はメトロポリタンエリアネットワーク（ＭＡＮ）や、他の装置とワイヤレス通信により通信することができる。ワイヤレス通信は、複数の通信規格、プロトコル、及びテクノロジーのいずれかを使用することができ、これらは、グローバルシステム・フォー・モバイルコミュニケーション（ＧＳＭ（登録商標））や、エンハンストデータＧＳＭエンビロンメント（ＥＤＧＥ）や、高速ダウンリンクパケットアクセス（ＨＳＤＰＡ）や、ワイドバンドコード分割多重アクセス（Ｗ−ＣＤＭＡ）や、コード分割多重アクセス（ＣＤＭＡ）や、時分割多重アクセス（ＴＤＭＡ）や、ブルーツースや、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇ、及び／又はＩＥＥＥ８０２．１１ｎ）や、ボイスオーバーインターネットプロトコル（ＶｏＩＰ）や、Ｗｉ−ＭＡＸや、ｅ−メール用のプロトコルや、インスタントメッセージングや、及び／又はショートメッセージングサービス（ＳＭＳ）や、本願の出願日にはまだ開発されていない通信プロトコルを含む他の適当な通信プロトコルを含むが、これらに限定されない。
【００３７】
オーディオ回路１１０、スピーカ１１１及びマイクロホン１１３は、ユーザと装置１００との間のオーディオインターフェイスをなす。オーディオ回路１１０は、周辺インターフェイス１１８からオーディオデータを受け取り、そのオーディオデータを電気信号に変換し、そしてその電気信号をスピーカ１１１へ送出する。スピーカ１１１は、電気信号を人間が聞き取れる音波へ変換する。又、オーディオ回路１１０は、音波からマイクロホン１１３により変換された電気信号も受け取る。オーディオ回路１１０は、電気信号をオーディオデータへ変換し、そしてそのオーディオデータを処理のために周辺装置１１８へ送出する。オーディオデータは、周辺インターフェイス１１８により、メモリ１０２及び／又はＲＦ回路１０８から検索され及び／又はそこに送出されてもよい。ある実施形態では、オーディオ回路１１０は、ヘッドセットジャック（図示せず）も含む。ヘッドセットジャックは、オーディオ回路１１０と、取り外し可能なオーディオ入力／出力周辺機器、例えば、出力専用のヘッドホン、或いは出力（例えば、片耳又は両耳用のヘッドホン）及び入力（例えば、マイクロホン）の両方を伴うヘッドセットとの間のインターフェイスをなす。
【００３８】
Ｉ／Ｏサブシステム１０６は、装置１００の入力／出力周辺機器、例えば、ディスプレイシステム１１２及び他の入力／制御装置１１６を周辺インターフェイス１１８に結合する。Ｉ／Ｏサブシステム１０６は、他の入力又は制御装置のためのディスプレイコントローラ１５６及び１つ以上の入力コントローラ１６０を含むことができる。１つ以上の入力コントローラ１６０は、他の入力又は制御装置１１６との間で電気信号を送信／受信する。他の入力／制御装置１１６は、物理的なボタン（例えば、プッシュボタン、ロッカーボタン、等）、ダイヤル、スライダースイッチ、ジョイスティック、クリックホイール、等を含むことができる。幾つかの別の実施形態では、入力コントローラ１６０（１つ又は複数）は、次のうちのどれかに接続されてもよい（又はどれにも接続されなくてもよい）。即ち、キーボード、赤外線ポート、ＵＳＢポート、及びマウスのようなポインタ装置。１つ以上のボタン（例えば、図２の２０８）は、スピーカ１１１及び／又はマイクロホン１１３の音量制御のためのアップ／ダウンボタンを含んでもよい。１つ以上のボタンは、プッシュボタン（例えば、図２の２０６）を含んでもよい。プッシュボタンを素早く押すと、タッチスクリーン１１２のロックを外すことができるか、又はタッチスクリーン上のジェスチャーを使用して装置をアンロックするプロセスを開始することができ、これは、参考としてここに援用する２００５年１２月２３日に出願された“Unlocking a Device by Performing Gestures on an Unlock Image”と題する米国特許出願第１１／３２２，５４９号に説明されている。プッシュボタン（例えば、２０６）を長く押すと、装置１００への電力をオン又はオフにすることができる。ユーザは、１つ以上のボタンのファンクションをカスタマイズすることもできる。タッチスクリーン１１２は、バーチャル又はソフトボタン及び１つ以上のソフトキーボードを実施するのに使用される。
【００３９】
タッチ感知タッチスクリーン１１２は、装置とユーザとの間の入力インターフェイス及び出力インターフェイスをなす。ディスプレイコントローラ１５６は、タッチスクリーン１１２との間で電気信号を送信及び／又は受信する。タッチスクリーン１１２は、ユーザに視覚出力を表示する。この視覚出力は、グラフィック、テキスト、アイコン、ビデオ、及びその組み合わせ（「グラフィック」と総称する）を含むことができる。ある実施形態では、視覚出力の幾つか又は全部が、ユーザインターフェイスオブジェクトに対応してもよく、その更なる詳細は、以下に述べる。
【００４０】
タッチスクリーン１１２は、触覚及び／又は触感接触に基づくユーザからの入力を受け容れるタッチ感知面、センサ、又はセンサのセットである。タッチスクリーン１１２及びディスプレイコントローラ１５６は（メモリ１０２における関連モジュール、及び／又はインストラクションのセットと共に）、タッチスクリーン１１２上の接触（及び接触の移動又は遮断）を検出し、そしてその検出された接触を、タッチスクリーン上に表示されるユーザインターフェイスオブジェクト（例えば、１つ以上のソフトキー、アイコン、ウェブページ又は映像）との相互作用へと変換する。ここに例示する実施形態では、タッチスクリーン１１２とユーザとの間の接触点は、ユーザの指に対応する。
【００４１】
タッチスクリーン１１２は、ＬＣＤ（液晶ディスプレイ）技術又はＬＰＤ（発光ポリマーディスプレイ）技術を使用できるが、他の実施形態では他のディスプレイ技術を使用してもよい。タッチスクリーン１１２及びディスプレイコントローラ１５６は、現在知られているか又は今後開発される複数のタッチ感知技術のいずれかを使用して、接触及びその移動又は遮断を検出することができ、このタッチ感知技術は、容量性、抵抗性、赤外線、及び表面音波技術、並びにタッチスクリーン１１２との１つ以上の接触点を決定するための他の接近センサアレー又は他の素子を含むが、これらに限定されない。タッチスクリーン１１２の幾つかの実施形態におけるタッチ感知ディスプレイは、参考として各々ここに援用する米国特許第６，３２３，８４６号（ウェスターマン氏等）、第６，５７０，５５７号（ウェスターマン氏等）、及び／又は第６，６７７，９３２号（ウェスターマン氏）、及び／又は米国特許公告第２００２／００１５０２４Ａ１号に説明されたマルチタッチ感知タブレットと同様のものでよい。しかしながら、タッチスクリーン１１２は、ポータブル装置１００からの視覚出力を表示するが、そのタッチ感知タブレットは、視覚出力を与えない。タッチスクリーン１１２は、１００ｄｐｉを越える解像度をもつことができる。ここに例示する実施形態では、タッチスクリーンは、約１６８ｄｐｉの解像度を有する。ユーザは、適当なオブジェクト又は付属物、例えば、スタイラス、指、等を使用してタッチスクリーン１１２と接触することができる。ある実施形態では、ユーザインターフェイスは、主として指に基づく接触及びジェスチャーで機能するように設計され、これは、タッチスクリーンにおける指の接触面積が大きいために、スタイラスに基づく入力よりも精度がかなり低い。ある実施形態では、装置が、指に基づくおおよその入力を、ユーザが希望するアクションを遂行するための正確なポインタ／カーソル位置又はコマンドへと変換する。
【００４２】
タッチスクリーン１１２のある実施形態におけるタッチ感知ディスプレイは、次の特許出願に説明されている。（１）２００６年５月２日に出願された“Multipoint Touch Surface Controller”と題する米国特許出願第１１／３８１，３１３号、（２）２００４年５月６日に出願された“Multipoint Touch screen”と題する米国特許出願第１０／８４０，８６２号、（３）２００４年７月３０日に出願された“Gestures For Touch Sensitive Input Devices”と題する米国特許出願第１０／９０３，９６４号、（４）２００５年１月３１日に出願された“Gestures For Touch Sensitive Input Devices”と題する米国特許出願第１１／０４８，２６４号、（５）２００５年１月１８日に出願された“Mode-Based Graphical User Interfaces For Touch Sensitive Input Devices”と題する米国特許出願第１１／０３８，５９０号、（６）２００５年９月１６日に出願された“Virtual Input Device Placement On A Touch Screen User Interface”と題する米国特許出願第１１／２２８，７５８号、（７）２００５年９月１６日に出願された“Operation Of A Computer With A Touch Screen Interface”と題する米国特許出願第１１／２２８，７００号、（８）２００５年９月１６日に出願された“Activating Virtual Keys Of A Touch-Screen Virtual Keyboard”と題する米国特許出願第１１／２２８，７３７号、及び（９）２００６年３月３日に出願された“Multi-Functional Hand-Held Device”と題する米国特許出願第１１／３６７，７４９号。これらの出願は、全て、参考としてここに援用する。
【００４３】
ある実施形態では、タッチスクリーンに加えて、装置１００は、特定のファンクションをアクチベート又はデアクチベートするためのタッチパッド（図示せず）を含むことができる。ある実施形態では、タッチパッドは、タッチスクリーンとは異なり、視覚的出力を表示しない装置のタッチ感知エリアである。タッチパッドは、タッチスクリーン１１２とは個別のタッチ感知面でもよいし、又はタッチスクリーンにより形成されたタッチ感知面の延長部でもよい。
【００４４】
ある実施形態では、装置１００は、入力制御装置１１６として物理的又はバーチャルクリックホイールを含むことができる。ユーザは、クリックホイールを回転することにより、又はクリックホイールとの接触点を移動することにより（例えば、接触点の移動量を、クリックホイールの中心点に対するその角度変位で測定する場合）、タッチスクリーン１１２に表示される１つ以上のグラフィックオブジェクト（以下、アイコンと称する）の中をナビゲートすることができ且つそれらと対話することができる。又、クリックホイールは、表示されたアイコンの１つ以上を選択するのに使用することもできる。例えば、ユーザは、クリックホイールの少なくとも一部分又はそれに関連したボタンを押し下げることができる。クリックホイールを経てユーザにより与えられるユーザコマンド及びナビゲーションコマンドは、入力コントローラ１６０、並びにメモリ１０２における１つ以上のモジュール及び／又はインストラクションセットにより処理することができる。バーチャルクリックホイールの場合、クリックホイール及びクリックホイールコントローラは、各々、タッチスクリーン１１２の一部分及びディスプレイコントローラ１５６でよい。又、バーチャルクリックホイールの場合、クリックホイールは、装置とのユーザ対話に応答してタッチスクリーンディスプレイ上に現れたり消えたりする不透明又は半透明なオブジェクトでよい。ある実施形態では、バーチャルクリックホイールは、ポータブルマルチファンクション装置のタッチスクリーン上に表示され、タッチスクリーンとのユーザ接触により動作される。
【００４５】
又、装置１００は、種々のコンポーネントに通電するための電源システム１６２も備えている。この電源システム１６２は、電力管理システムと、１つ以上の電源（例えば、バッテリ、交流（ＡＣ））と、再充電システムと、停電検出回路と、電力コンバータ又はインバータと、電力状態インジケータ（例えば、発光ダイオード（ＬＥＤ））と、ポータブル装置における電力の発生、管理及び配電に関連した他のコンポーネントとを含むことができる。
【００４６】
又、装置１００は、１つ以上の光学的センサ１６４も含むことができる。図１は、Ｉ／Ｏサブシステム１０６内の光学的センサコントローラ１５８に結合された光学的センサを示す。光学的センサ１６４は、電荷結合装置（ＣＣＤ）又は相補的金属酸化物半導体（ＣＭＯＳ）ホトトランジスタを含むことができる。光学的センサ１６４は、周囲から１つ以上のレンズを通して投射された光を受け、そしてその光を、映像を表すデータへと変換する。像形成モジュール１４３に関連して、光学的センサ１６４は、静止映像又はビデオを捕獲することもできる。ある実施形態では、装置前面のタッチスクリーンディスプレイ１１２とは反対の装置１００の背面に光学センサが配置され、タッチスクリーンディスプレイは、静止映像及び／又はビデオ映像取得のためのビューファインダとして使用することができる。ある実施形態では、装置の前面に光学的センサを配置して、ビデオ会議のためのユーザの映像を得る一方、ユーザは、他のビデオ会議参加者をタッチスクリーンディスプレイに見ることができる。ある実施形態では、光学的センサ１６４の位置をユーザが切り換え（例えば、装置ハウジング内でレンズ及びセンサを回転することにより）、単一の光学的センサ１６４を、タッチスクリーンディスプレイと共に、ビデオ会議と、静止映像及び／又はビデオ映像取得との両方に使用することができる。
【００４７】
又、装置１００は、１つ以上の接近センサ１６６を含むこともできる。図１は、周辺インターフェイス１１８に結合された接近センサ１６６を示す。或いは又、接近センサ１６６は、Ｉ／Ｏサブシステム１０６の入力コントローラ１６０に結合されてもよい。接近センサ１６６は、参考としてここに援用する２００５年９月３０日に出願された“Proximity Detector In Handheld Devices”と題する米国特許出願第１１／２４１，８３９号、及び２００５年９月３０日に出願された“Proximity Detector In Handheld Devices”と題する米国特許出願第１１／２４０，７８８号に説明されたように動作することができる。ある実施形態では、接近センサは、マルチファンクション装置がユーザの耳の付近に配置されたときに（例えば、ユーザが電話コールをなすときに）タッチスクリーン１１２をターンオフし、ディスエイブルする。ある実施形態では、装置がロック状態にあるときに不必要なバッテリの消耗を防止するために、接近センサは、装置がユーザのポケット、ハンドバック又は他の暗いエリアに入れられたときにスクリーンをオフに保持する。
【００４８】
ある実施形態では、メモリ１０２に記憶されるソフトウェアコンポーネントは、オペレーティングシステム１２６と、通信モジュール（又はインストラクションのセット）１２８と、接触／運動モジュール（又はインストラクションのセット）１３０と、グラフィックモジュール（又はインストラクションのセット）１３２と、テキスト入力モジュール（又はインストラクションのセット）１３４と、グローバルポジショニングシステム（ＧＰＳ）モジュール（又はインストラクションのセット）１３５と、アプリケーション（又はインストラクションのセット）１３６と、を含むことができる。
【００４９】
オペレーティングシステム１２６（例えば、ダーウイン(Darwin)、ＲＴＸＣ、ＬＩＮＵＸ（登録商標）、ＵＮＩＸ（登録商標）、ＯＳ  Ｘ、ＷＩＮＤＯＷＳ（登録商標）、又は埋め込まれたオペレーティングシステム、例えば、ＶｘＷｏｒｋｓ）は、一般的なシステムタスク（例えば、メモリの管理、記憶装置の制御、電源の管理、等）を制御し及び管理するための種々のソフトウェアコンポーネント及び／又はドライバを備え、そして種々のハードウェアコンポーネントとソフトウェアコンポーネントとの間の通信を容易にする。
【００５０】
通信モジュール１２８は、１つ以上の外部ポート１２４を経て他の装置との通信を容易にし、又、ＲＦ回路１０８及び／又は外部ポート１２４により受け取られたデータを取り扱うための種々のソフトウェアコンポーネントも備えている。外部ポート１２４（例えば、ユニバーサルシリアルバス（ＵＳＢ）、ファイアワイヤ(FIREWIRE)、等）は、他の装置へ直結するか、又はネットワーク（例えば、インターネット、ワイヤレスＬＡＮ、等）を経て間接的に結合するようにされる。ある実施形態では、外部ポートは、ｉＰｏｄ（アップルコンピュータ社の商標）装置に使用される３０ピンコネクタと同じであるか又は同様であるか及び／又はそれに適合できるマルチピン（例えば、３０ピン）コネクタである。
【００５１】
接触／運動モジュール１３０は、タッチスクリーン１１２（ディスプレイコントローラ１５６に関連した）及び他のタッチ感知装置（例えば、タッチパッド又は物理的なクリックホイール）との接触を検出することができる。接触／運動モジュール１３０は、接触の検出に関連した種々の動作、例えば、接触が生じたかどうか決定し、接触の移動があるかどうか決定すると共にタッチスクリーン１１２にわたって移動を追跡し、及び接触が遮断したかどうか（即ち、接触が止んだかどうか）決定する、等の動作を遂行するための種々のソフトウェアコンポーネントを備えている。接触点の移動を決定することは、接触点のスピード（大きさ）、速度（大きさ及び方向）、及び／又は加速度（大きさの変化及び／又は方向）を決定することを含む。これらの動作は、単一の接触（例えば、１本の指の接触）又は複数の同時接触（例えば、「マルチタッチ」／複数本の指の接触）に適用することができる。ある実施形態では、接触／運動モジュール１３０及びディスプレイコントローラ１５６は、タッチパッド上の接触も検出する。ある実施形態では、接触／運動モジュール１３０及びコントローラ１６０は、クリックホイール上の接触を検出する。
【００５２】
グラフィックモジュール１３２は、表示されるグラフィックの強度を変化させるコンポーネントを含めて、タッチスクリーン１１２上にグラフィックをレンダリングし表示するための種々の既知のソフトウェアコンポーネントを備えている。ここで使用する「グラフィック」という語は、これに限定されないが、テキスト、ウェブページ、アイコン（ソフトキーを含むユーザインターフェイスオブジェクトのような）、デジタル映像、ビデオ、アニメーション、等を含めて、ユーザに表示できるいかなるオブジェクトも含む。
【００５３】
グラフィックモジュール１３２のコンポーネントでよいテキスト入力モジュール１３４は、種々のアプリケーション（例えば、連絡先１３７、ｅ−メール１４０、ＩＭ１４１、ブログ１４２、ブラウザ１４７、及びテキスト入力を必要とする他のアプリケーション）においてテキストを入力するためのソフトキーボードを与える。
【００５４】
ＧＰＳモジュール１３５は、装置の位置を決定し、そしてこの情報を種々のアプリケーションに使用するべく与える（例えば、位置に基づくダイヤル動作に使用するために電話１３８へ、ピクチャー／ビデオメタデータとしてカメラ１４３及び／又はブロガー１４２へ、そして天気ウィジェット、地方のイエローページウィジェット及びマップ／ナビゲーションウィジェットのような位置に基づくサービスを提供するアプリケーションへ）。
【００５５】
アプリケーション１３６は、次のモジュール（又はインストラクションのセット）或いはそのサブセット又はスーパーセットを含むことができる。
●連絡先モジュール１３７（時々アドレス帳又は連絡先リストとも称される）、
●電話モジュール１３８、
●ビデオ会議モジュール１３９、
●ｅ−メールクライアントモジュール１４０、
●インスタントメッセージング（ＩＭ）モジュール１４１、
●ブログモジュール１４２、
●静止映像及び／又はビデオ映像のためのカメラモジュール１４３、
●映像管理モジュール１４４、
●ビデオプレーヤモジュール１４５、
●音楽プレーヤモジュール１４６、
●ブラウザモジュール１４７、
●カレンダーモジュール１４８、
●天気ウィジェット１４９−１、株ウィジェット１４９−２、計算器ウィジェット１４９−３、アラームクロックウィジェット１４９−４、辞書ウィジェット１４９−５、及びユーザにより得られる他のウィジェット、並びにユーザ生成ウィジェット１４９−６を含むことのできるウィジェットモジュール１４９、
●ユーザ生成ウィジェット１４９−６を形成するためのウィジェットクリエータモジュール１５０、及び／又は
●サーチモジュール１５１。
【００５６】
メモリ１０２に記憶できる他のアプリケーション１３６は、例えば、メモパッド及び他のワード処理アプリケーション、ＪＡＶＡ（登録商標）イネーブルアプリケーション、暗号化、デジタル権利の管理、音声認識、及び音声複製を含む。
【００５７】
タッチスクリーン１１２、ディスプレイコントローラ１５６、接触モジュール１３０、グラフィックモジュール１３２及びテキスト入力モジュール１３４に関連して、連絡先モジュール１３７は、アドレス帳又は連絡先リストを管理するのに使用でき、これは、アドレス帳に名前（１つ又は複数）を追加し、アドレス帳から名前（１つ又は複数）を削除し、電話番号（１つ又は複数）、ｅ−メールアドレス（１つ又は複数）、物理的アドレス（１つ又は複数）又は他の情報を名前と関連付け、映像を名前と関連付け、名前を類別及び分類し、電話１３８、ビデオ会議１３９、ｅ−メール１４０、又はＩＭ１４１による通信を開始及び／又は容易にするために電話番号又はｅ−メールアドレスを与え、等々を行うことを含む。連絡先モジュール１３７を使用するユーザインターフェイス及び関連プロセスの実施形態は、以下で詳細に説明する。
【００５８】
ＲＦ回路１０８、オーディオ回路１１０、スピーカ１１１、マイクロホン１１３、タッチスクリーン１１２、ディスプレイコントローラ１５６、接触モジュール１３０、グラフィックモジュール１３２、及びテキスト入力モジュール１３４に関連して、電話モジュール１３８は、電話番号に対応するキャラクタのシーケンスを入力し、アドレス帳１３７における１つ以上の電話番号にアクセスし、入力された電話番号を変更し、各電話番号をダイヤルし、会話を行い、そして会話が終了したときに切断又は終了するために使用することができる。上述したように、ワイヤレス通信は、複数の通信規格、プロトコル及び技術のいずれかを使用することができる。
【００５９】
ＲＦ回路１０８、オーディオ回路１１０、スピーカ１１１、マイクロホン１１３、タッチスクリーン１１２、ディスプレイコントローラ１５６、光学的センサ１６４、光学的センサコントローラ１５８、接触モジュール１３０、グラフィックモジュール１３２、テキスト入力モジュール１３４、連絡先リスト１３７、及び電話モジュール１３８に関連して、ビデオ会議モジュール１３９は、ユーザと１人以上の他の参加者との間でビデオ会議を開始し、実行し、そして終了するために使用することができる。
【００６０】
ＲＦ回路１０８、タッチスクリーン１１２、ディスプレイコントローラ１５６、接触モジュール１３０、グラフィックモジュール１３２、及びテキスト入力モジュール１３４に関連して、ｅ−メールクライアントモジュール１４０は、ｅ−メールを生成し、送信し、受信し、そして管理するために使用することができる。映像管理モジュール１４４に関連して、ｅ−メールモジュール１４０は、カメラモジュール１４３で撮影された静止映像又はビデオ映像と共にｅ−メールを生成し送信するのを非常に容易にする。
【００６１】
ＲＦ回路１０８、タッチスクリーン１１２、ディスプレイコントローラ１５６、接触モジュール１３０、グラフィックモジュール１３２、及びテキスト入力モジュール１３４に関連して、インスタントメッセージングモジュール１４１は、インスタントメッセージに対応するキャラクタのシーケンスを入力し、既に入力されたキャラクタを変更し、各インスタントメッセージを送信し（例えば、ショートメッセージサービス（ＳＭＳ）又はマルチメディアメッセージサービス（ＭＭＳ）プロトコルを使用して）、インスタントメッセージを受信し、そして受信したインスタントメッセージを見るために使用することができる。ある実施形態では、送信及び／又は受信されるインスタントメッセージは、ＭＭＳ及び／又はエンハンストメッセージングサービス（ＥＭＳ）でサポートされるグラフィック、写真、オーディオファイル、ビデオファイル及び／又は他のアタッチメントを含むことができる。
【００６２】
ＲＦ回路１０８、タッチスクリーン１１２、ディスプレイコントローラ１５６、接触モジュール１３０、グラフィックモジュール１３２、テキスト入力モジュール１３４、映像管理モジュール１４４、及びブラウジングモジュール１４７に関連して、ブログモジュール１４２は、テキスト、静止映像、ビデオ、及び／又は他のグラフィックをブログ（例えば、ユーザブログ）へ送信するために使用することができる。
【００６３】
タッチスクリーン１１２、ディスプレイコントローラ１５６、光学的センサ（１つ又は複数）１６４、光学的センサコントローラ１５８、接触モジュール１３０、グラフィックモジュール１３２、及び映像管理モジュール１４４に関連して、カメラモジュール１４３は、静止映像又はビデオ（ビデオストリームを含む）を捕獲してそれらをメモリ１０２へ記憶し、静止映像又はビデオの特性を変更し、或いは静止映像又はビデオをメモリ１０２から削除するために使用することができる。
【００６４】
タッチスクリーン１１２、ディスプレイコントローラ１５６、接触モジュール１３０、グラフィックモジュール１３２、テキスト入力モジュール１３４、及びカメラモジュール１４３に関連して、映像管理モジュール１４４は、静止映像及び／又はビデオ映像をアレンジし、変更し、さもなければ、操作し、ラベル付けし、削除し、プレゼンテーションし（例えば、デジタルスライドショー又はアルバムに）、そして記憶するために使用することができる。
【００６５】
タッチスクリーン１１２、ディスプレイコントローラ１５６、接触モジュール１３０、グラフィックモジュール１３２、オーディオ回路１１０、及びスピーカ１１１に関連して、ビデオプレーヤモジュール１４５は、ビデオを表示し、プレゼンテーションし、さもなければ、再生するために使用することができる（例えば、タッチスクリーンにおいて、又は外部ポート１２４を経て接続された外部のディスプレイにおいて）。
【００６６】
タッチスクリーン１１２、ディスプレイシステムコントローラ１５６、接触モジュール１３０、グラフィックモジュール１３２、オーディオ回路１１０、スピーカ１１１、ＲＦ回路１０８、及びブラウザモジュール１４７に関連して、音楽プレーヤモジュール１４６は、ユーザが、録音された音楽や、ＭＰ３又はＡＡＣファイルのような１つ以上のファイルフォーマットで記憶された他のサウンドファイルをダウンロードして再生できるようにする。ある実施形態では、装置１００は、ｉＰｏｄ（アップルコンピュータ社の商標）のようなＭＰ３プレーヤのファンクションを含むことができる。
【００６７】
ＲＦ回路１０８、タッチスクリーン１１２、ディスプレイシステムコントローラ１５６、接触モジュール１３０、グラフィックモジュール１３２、及びテキスト入力モジュール１３４に関連して、ブラウザモジュール１４７は、ウェブページ又はその一部分、並びにウェブページにリンクされたアタッチメント及び他のファイルをサーチし、リンクし、受信し、及び表示することを含めて、インターネットをブラウズするために使用することができる。
【００６８】
ＲＦ回路１０８、タッチスクリーン１１２、ディスプレイシステムコントローラ１５６、接触モジュール１３０、グラフィックモジュール１３２、テキスト入力モジュール１３４、ｅ−メールモジュール１４０、及びブラウザモジュール１４７に関連して、カレンダーモジュール１４８は、カレンダー及びカレンダーに関連したデータ（例えば、カレンダー入力、ツー・ドゥ（実行すべきものの）リスト、等）を生成し、表示し、変更し、そして記憶するために使用することができる。
【００６９】
ＲＦ回路１０８、タッチスクリーン１１２、ディスプレイシステムコントローラ１５６、接触モジュール１３０、グラフィックモジュール１３２、テキスト入力モジュール１３４、及びブラウザモジュール１４７に関連して、ウィジェットモジュール１４９は、ユーザによりダウンロードして使用できるミニアプリケーション（例えば、天気ウィジェット１４９−１、株ウィジェット１４９−２、計算器ウィジェット１４９−３、アラームクロックウィジェット１４９−４、及び辞書ウィジェット１４９−５）、又はユーザにより生成されるミニアプリケーション（例えば、ユーザ生成ウィジェット１４９−６）である。ある実施形態では、ウィジェットは、ＨＴＭＬ（ハイパーテキストマークアップ言語）ファイル、ＣＳＳ（カスケードスタイルシート）ファイル、及びＪａｖａＳｃｒｉｐｔ（登録商標）ファイルを含む。ある実施形態では、ウィジェットは、ＸＭＬ（拡張性マークアップ言語）ファイル、及びＪａｖａＳｃｒｉｐｔファイル（例えば、Ｙａｈｏｏ！ウィジェット）を含む。
【００７０】
ＲＦ回路１０８、タッチスクリーン１１２、ディスプレイシステムコントローラ１５６、接触モジュール１３０、グラフィックモジュール１３２、テキスト入力モジュール１３４、及びブラウザモジュール１４７に関連して、ウィジェットクリエータモジュール１５０は、ウィジェットを生成するためにユーザにより使用することができる（例えば、ウェブページのユーザ指定部分をウィジェットへ向ける）。
【００７１】
タッチスクリーン１１２、ディスプレイシステムコントローラ１５６、接触モジュール１３０、グラフィックモジュール１３２、及びテキスト入力モジュール１３４に関連して、サーチモジュール１５１は、１つ以上のサーチ基準（例えば、１つ以上のユーザ指定サーチ用語）に一致するテキスト、音楽、サウンド、映像、ビデオ、及び／又は他のファイルをメモリ１０２においてサーチするために使用することができる。
【００７２】
上述したモジュール及びアプリケーションの各々は、上述した１つ以上のファンクションを遂行するためのインストラクションのセットに対応している。これらのモジュール（即ち、インストラクションのセット）は、個別のソフトウェアプログラム、手順又はモジュールとして実施される必要はなく、従って、種々の実施形態では、これらモジュールの種々のサブセットを組み合わせるか、さもなければ、アレンジし直すことができる。ある実施形態では、メモリ１０２は、上述したモジュール及びデータ構造体のサブセットを記憶することができる。更に、メモリ１０２は、上述されない付加的なモジュール及びデータ構造体を記憶することもできる。
【００７３】
ある実施形態では、装置１００は、装置における規定セットのファンクションの動作がタッチスクリーン１１２及び／又はタッチパッドを通して排他的に実行される装置である。タッチスクリーン及び／又はタッチパッドを、装置１００を動作するための一次入力／制御装置として使用することにより、装置１００における物理的入力／制御装置（プッシュボタン、ダイヤル、等）の数を減少することができる。
【００７４】
タッチスクリーン及び／又はタッチパッドを通して排他的に遂行できる規定セットのファンクションは、ユーザインターフェイス間のナビゲーションを含む。ある実施形態では、タッチパッドは、ユーザがタッチすると、装置１００を、装置１００上に表示できるユーザインターフェイスからメイン、ホーム又はルートメニューへとナビゲートする。このような実施形態では、タッチパッドは、「メニューボタン」と称することができる。他の実施形態では、メニューボタンは、タッチパッドに代わって、物理的なプッシュボタン又は他の物理的な入力／制御装置でもよい。
【００７５】
図２は、ある実施形態に基づくタッチスクリーン１１２を有するポータブルマルチファンクション装置１００を示す。タッチスクリーンは、１つ以上のグラフィックを表示することができる。この実施形態、及び以下に述べる他の実施形態では、ユーザは、例えば、１本以上の指２０２（図中には正しいスケールで描かれていない）でグラフィックに接触又はタッチすることにより１つ以上のグラフィックを選択することができる。ある実施形態では、ユーザが１つ以上のグラフィックとの接触を遮断したときに１つ以上のグラフィックの選択が生じる。ある実施形態では、接触は、１回以上タップ(tap)すること、１回以上スワイプ(swipe)すること（左から右へ、右から左へ、上方及び／又は下方へ）、及び／又は装置１００と接触させた指をローリング(rolling)すること（左から右へ、右から左へ、上方及び／又は下方へ）、等のジェスチャーを含むことができる。ある実施形態では、グラフィックとの偶発的な接触でグラフィックが選択されることはない。例えば、アプリケーションアイコン上を拭うスワイプジェスチャーは、選択に対応するジェスチャーがタップであるときには、対応するアプリケーションを選択できない。
【００７６】
又、装置１００は、「ホーム(home)」又はメニューボタン２０４のような１つ以上の物理的ボタンを含むこともできる。上述したように、メニューボタン２０４は、装置１００において実行できるアプリケーションセット内の任意のアプリケーション１３６へナビゲートするのに使用できる。或いは又、ある実施形態では、メニューボタンは、タッチスクリーン１１２のＧＵＩにおけるソフトキーとして実施される。
【００７７】
一実施形態では、装置１００は、タッチスクリーン１１２と、メニューボタン２０４と、装置を電源オン／オフすると共に装置をロックするためのプッシュボタン２０６と、音量調整ボタン（１つ又は複数）２０８とを備えている。プッシュボタン２０６は、このボタンを押して規定の時間インターバル中このボタンを押圧状態に保持することにより装置の電源をオン／オフにし、このボタンを押して規定の時間インターバルが経過する前にこのボタンを解除することにより装置をロックし、及び／又は装置をアンロックするか又はアンロックプロセスを開始するために、使用することができる。別の実施形態では、装置１００は、マイクロホン１１３を通して幾つかのファンクションをアクチベート又はデアクチベートするために言葉による入力も受け容れることができる。
【００７８】
ポータブルマルチファンクション装置１００において実施できるユーザインターフェイス（ＵＩ）及び関連プロセスの実施形態について以下に説明する。
【００７９】
図３は、ある実施形態に基づきポータブル電子装置をアンロックするためのユーザインターフェイスを例示する。ある実施形態では、ユーザインターフェイス３００は、次のエレメント、或いはそのサブセット又はスーパーセットを含む。
●装置をアンロックするための指ジェスチャーで移動されるアンロック映像３０２、
●アンロックジェスチャーに対して視覚キューを与える矢印３０４、
●アンロックジェスチャーに対して付加的なキューを与えるチャンネル３０６、
●時刻３０８、
●曜日３１０、
●日付３１２、及び
●壁紙映像３１４。
【００８０】
ある実施形態では、この装置は、それがユーザインターフェイスロック状態にある間にタッチ感知ディスプレイとの接触（例えば、ユーザの指がアンロック映像３０２又はその付近に接触する）を検出する。装置は、この接触に基づいてアンロック映像３０２を移動する。装置は、検出された接触が、チャンネル３０６を横切ってアンロック映像を移動するような規定のジェスチャーに対応する場合は、ユーザインターフェイスアンロック状態へと移行する。逆に、装置は、検出された接触が規定のジェスチャーに対応しない場合には、ユーザインターフェイスロック状態を維持する。上述したように、タッチスクリーン上でのジェスチャーを使用して装置をアンロックするプロセスは、参考としてここに援用する２００５年１２月２３日に出願された“Unlocking a Device by Performing Gesture on an Unlock Image”と題する米国特許出願第１１／３２２，５４９号に説明されている。
【００８１】
図４は、ある実施形態に基づくポータブルマルチファンクション装置におけるアプリケーションのメニューのためのユーザインターフェイスを例示する。ある実施形態では、ユーザインターフェイス４００は、次のエレメント或いはそのサブセット又はスーパーセットを含む。
●ワイヤレス通信のための信号強度インジケータ４０２、
●時刻４０４、
●バッテリ状態インジケータ４０６、
●次のような頻繁に使用されるアプリケーションに対するアイコンを伴うトレー４０８、
○電話１３８、
○読まれないｅ−メールの数のインジケータ４１０を含んでもよいｅ−メールクライアント１４０、
○ブラウザ１４７、
○音楽プレーヤ１４６、及び
●次のような他のアプリケーションに対するアイコン、
○ＩＭ１４１、
○映像管理１４４、
○カメラ１４３、
○ビデオプレーヤ１４５、
○天気１４９−１、
○株１４９−２、
○ブログ１４２、
○カレンダー１４８、
○計算器１４９−３、
○アラームクロック１４９−４、
○辞書１４９−５、及び
○ユーザ生成ウィジェット１４９−６。
【００８２】
ある実施形態では、ＵＩ４００は、全ての利用可能なアプリケーション１３６を１つのスクリーン上に表示し、アプリケーションのリストを（例えば、スクロールバーにより）スクロールする必要がないようにする。ある実施形態では、アプリケーションの数が増加するにつれて、アプリケーションに対応するアイコンのサイズを減少させて、全てのアプリケーションを、スクロールせずに、単一のスクリーン上に表示できるようにする。ある実施形態では、１つのスクリーン上に全てのアプリケーションをもたせると共に、メニューボタンをもたせることで、ユーザは、（例えば、アプリケーションに対応するアイコンにおけるタップ又は他の指ジェスチャーにより）メニューボタン２０４をアクチベートし、次いで、希望のアプリケーションをアクチベートするというせいぜい２つの入力で、希望のアプリケーションにアクセスすることができる。
【００８３】
ある実施形態では、ＵＩ４００は、ウィジェットベースのアプリケーション及び非ウィジェットベースのアプリケーションの両方への一体的なアクセスを与える。ある実施形態では、ユーザが生成したかどうかに関わらず、全てのウィジェットがＵＩ４００に表示される。他の実施形態では、ユーザ生成ウィジェット１４９−６のアイコンをアクチベートすると、そのユーザ生成ウィジェット又はそのユーザ生成ウィジェットに対応するアイコンを含む別のＵＩを導くことができる。
【００８４】
ある実施形態では、ユーザは、例えば、参考としてここに援用する２００６年７月２４日に出願された“Portable Electronic Device With Interface Reconfiguration Mode”と題する米国特許出願第１１／４５９，６０２号に説明されたプロセスを使用して、ＵＩ４００においてアイコンをアレンジし直すことができる。例えば、ユーザは、指ジェスチャーを使用して、アプリケーションアイコンをトレー４０８へ及びトレー４０８から移動することができる。
【００８５】
ある実施形態では、ＵＩ４００は、参考としてここに援用する２００５年１２月２３日に出願された“Account Information Display For Portable Communication Device”と題する米国特許出願第１１／３２２，５５２号に説明されたように、装置の使用に関連したアカウント（例えば、セルラーホンアカウント）に対する更新されたアカウント使用メトリックを表示するゲージ（図示せず）を備えている。
【００８６】
図５Ａ及び５Ｂは、ある実施形態に基づくボイスメールのためのユーザインターフェイスを例示する図である。ある実施形態では、ユーザインターフェイス３２００Ａ及び３２００Ｂは、次のエレメント或いはそのサブセット又はそのスーパーセットを含む。
●上述した４０２、４０４、及び４０６、
●アクチベートされたときに（例えば、アイコンを指でタップすることにより）、ボイスメールメッセージの手前の数秒（例えば、１から５秒）を戻して再生するプロセスを開始する戻しアイコン３２０２、
●ボイスメールメッセージのどの断片が再生されたか指示すると共に、ユーザジェスチャー３２０６の検出に応答してメッセージをスクロールする上で助けとなるよう使用できる進行バー３２０４、
●アクチベートされたときに（例えば、アイコンを指でタップすることにより）、ボイスメールメッセージの再生をスピードアップし、ワードが迅速に再生されるが、依然、理解し易いように高速再生の音声周波数又はピッチも調整できるプロセスを開始するスピードアップアイコン３２０８、
●ボイスメールメッセージを出した人（ユーザの連絡先リストを経て入電話番号に関連付けられる）の名前３２１０（例えば、Aaron Jones ３２１０−１）、或いは個人の名前が得られない場合には電話番号（例えば、408-246-8101 ３２１０−２）、
●ボイスメールの日付３２１２及び／又は時刻、
●アクチベートされたときに（例えば、アイコンを指でタップすることにより）、対応する連絡先リストエントリー又は未知の電話番号に対するＵＩ（図示せず）への移行を開始する追加情報アイコン３２１４、
●アクチベートされたときに（例えば、アイコンを指でタップすることにより）、スピーカを通してボイスメールの再生を開始するスピーカアイコン３２１６、
●アクチベートされたときに（例えば、アイコンを指でタップすることにより）、追加ボイスメールオプションのメニューの表示を開始するオプションアイコン３２１８、
●アクチベートされたときに（例えば、アイコンを指でタップすることにより）、ボイスメールの休止を開始する休止アイコン３２２０、
●アクチベートされたときに（例えば、アイコンを指でタップすることにより）、ユーザがそれに対応するボイスメールを削除したいことを確認するためのＵＩ（例えば、ＵＩ３２００Ｂ、図３２Ｂ）の表示を開始する削除記号アイコン３２２２、
●アクチベートされたときに（例えば、アイコンを指でタップすることにより）、対応するボイスメールを削除せずにＵＩ３２００ＢからＵＩ３２００Ａへ表示を切り換えるキャンセルアイコン３２２６、
●アクチベートされたときに（例えば、アイコンを指でタップすることにより）、対応するボイスメールを削除し、ＵＩ３２００ＢからＵＩ３２００Ａへ表示を切り換える削除確認アイコン３２２８、
●アクチベートされたときに（例えば、アイコンを指でタップすることにより）、ボイスメールの再生を開始又は継続するプレイアイコン３２３０。
【００８７】
ボイスメールメッセージのリストがスクリーンエリア以上を埋める場合には、ユーザは、タッチスクリーン上の実質的に垂直方向上方及び／又は下方のジェスチャー３２２４を使用してリストをスクロールすることができる。
【００８８】
ある実施形態では、（アイコン３２１４におけるタップ又はジェスチャー以外の）特定のボイスメールに対応する行におけるユーザタップ又は他の規定のジェスチャーの検出に応答して、電話モジュールは、対応するボイスメールの再生を開始する。従って、ボイスメールへのランダムなアクセスが行われ、ボイスメールを任意の順序で聞くことができる。
【００８９】
ある実施形態では、ユーザのジェスチャーの検出に応答して、ボイスメールにおける再生位置を変更することができる。例えば、進行バーにユーザの指がタッチし（３２０６）、次いで、進行バーに沿ってスライドするのを検出するのに応答して、進行バーに沿ったユーザの指の位置に対応するように再生位置を変更することができる。進行バー上でのこのユーザジェスチャーは、ユーザがボイスメールメッセージの当該部分へスキップし及び／又はそれを再生するのを容易にする。
【００９０】
図６Ａ−６Ｃは、ある実施形態に基づきボイスメールメッセージにアクセスするためのプロセス６００、６５０及び６７０のフローチャートである。ある実施形態では、タッチスクリーンディスプレイ（例えば、タッチ感知ディスプレイ１１２）を伴うポータブル電子装置（例えば、装置１００）によりプロセスが遂行される。この装置は、ボイスメールメッセージのリストを表示する（６０２）（例えば、ＵＩ３２００Ａ、図５Ａ）。ある実施形態では、装置は、タッチスクリーンディスプレイ上でユーザによるスクロールジェスチャー（例えば、ジェスチャー３２２４）を検出することができる。ある実施形態では、このスクロールジェスチャーは、タッチスクリーンディスプレイ上でのユーザの指の実質的に垂直の移動を含む。ある実施形態では、このスクロールジェスチャーは、タッチスクリーン上の水平位置を有し、スクロールジェスチャーの検出は、タッチスクリーン上でのジェスチャーの水平位置とは独立している。装置は、スクロールジェスチャーに応答して、ボイスメールメッセージのリストをスクロールする（６０６）。
【００９１】
装置は、各ボイスメールメッセージの、ユーザによる選択を検出する（６０８）。ある実施形態では、各ボイスメールメッセージの、ユーザによる選択を検出することは、各ボイスメールメッセージ上でのユーザの指によるタップジェスチャーを検出することを含む。例えば、ユーザ選択は、（アイコン３２１４上でのタップ又はジェスチャーではなく）特定のボイスメールに対応するＵＩ３２００Ａ（図５Ａ）の行におけるユーザタップ又は他の規定のジェスチャーにより行うことができる。装置は、各ボイスメールメッセージのユーザ選択に応答して、そのユーザ選択されたボイスメールメッセージの再生を開始する（６１０）。ある実施形態では、リスト内の各ボイスメールメッセージがハイライト状態にされる（例えば、図５ＡのBob Adams ３２１０−３）。
【００９２】
ある実施形態では、装置は、各ボイスメールメッセージのユーザ選択に応答して、そのユーザ選択されたメッセージに対する進行バー（例えば、進行バー３２０４）も表示する（６１２）。図５Ａ及び５Ｂに示され、そして上述されたように、進行バーは、再生された前記ユーザ選択されたボイスメールメッセージの部分を指示する。進行バーは、ユーザジェスチャー（例えば、ジェスチャー３２０６）に応答してメッセージをスクロールする上で助けとなるように使用できる。
【００９３】
ユーザが、例えば、戻しアイコン上での指タップにより戻しアイコン（例えば、戻しアイコン３２０２）を選択する場合に、装置は、このような選択を検出し（６１４）、そして戻しアイコンのユーザ選択に応答して、ユーザ選択されたボイスメールメッセージの再生を規定量だけ戻す（６１６）。ある実施形態では、規定量は、１から５秒である。
【００９４】
同様に、ユーザが、例えば、アイコン上での指タップによりスピードアップアイコン（例えば、スピードアップアイコン３２０８）を選択した場合に、装置は、このような選択を検出し（６１８）、そしてスピードアップアイコンのユーザ選択に応答して、ユーザ選択されたボイスメールメッセージの再生スピードを増加する（６２０）。ある実施形態では、再生スピードは、少なくとも５０パーセント（５０％）増加される。ある実施形態では、再生スピードは、スピードアップアイコン３２０８のユーザ選択を検出するのに応答して１．５から２．２の係数で増加される。ある実施形態では、再生の音声周波数又はピッチが調整される。音声周波数又はピッチを調整することは、再生スピードの増加にも関わらず、再生を容易に理解する上で助けとなる。
【００９５】
ある実施形態では、ユーザは、表示された進行バー３２０４上でのジェスチャーにより選択されたボイスメールの再生位置を変更することができる。ある実施形態では、装置は、進行バー上の第１位置から進行バー上の第２位置へのユーザの指の移動を検出する（６２２）。ある実施形態では、進行バーの第１位置は、現在の再生位置に対応する。装置は、指移動の検出に応答して、進行バー上の第２位置に実質的に対応するユーザ選択されたボイスメールメッセージ内の位置でユーザ選択されたボイスメールメッセージの再生を再スタートする（６２４）。ある実施形態では、再生された前記ユーザ選択されたボイスメールメッセージの指示された部分が、進行バー上の第２位置に実質的に対応するように変更される。
【００９６】
ある実施形態では、装置は、進行バー上の位置でユーザの指を検出する（６２６）。ある実施形態では、指が進行バー上で移動されたかどうかとは独立して、装置は、指移動の検出に応答して、進行バー上の指の位置に実質的に対応するユーザ選択されたボイスメールメッセージ内の位置でユーザ選択されたボイスメールメッセージの再生を再スタートする（６２８）。例えば、ユーザ選択されたボイスメールメッセージの再生は、所定の時間量（例えば、１秒）より長く維持される進行バー上での指の位置に実質的に対応するユーザ選択されたボイスメールメッセージ内の位置で再スタートすることができる。別の例として、ユーザ選択されたボイスメールメッセージの再生は、指が進行バー上で移動されたかどうかとは独立して、指を持ち上げる直前の進行バー上の指の位置に実質的に対応するユーザ選択されたボイスメールメッセージ内の位置で再スタートすることができる。
【００９７】
ある実施形態では、装置が、ユーザ選択されたメッセージに対して進行バー（例えば、進行バー３２０４）を表示する間に、タッチスクリーンディスプレイの規定のエリアとの指接触が検出され（６３２）、規定のエリアは、タッチスクリーンディスプレイの規定のエリア内で第１方向にスライドするように構成された進行バーを含む。タッチスクリーンディスプレイ上で規定のエリアから規定のエリア以外の位置への指接触の移動が検出され（６３４）、タッチスクリーンディスプレイ上での指接触の移動は、第１方向に平行な成分と、第１方向に垂直な成分とを有する。進行バーは、第１方向に平行な指接触の移動の成分に基づいて規定のエリア内をスライドする（６３６）。スライドされる進行バーの位置に実質的に対応するユーザ選択されたボイスメールメッセージ内の位置でユーザ選択されたボイスメールメッセージの再生が再スタートされる（６３８）。この実施形態では、ユーザは、ユーザの指が進行バーの妨げとなることなく、進行バーの位置を調整することができる。
【００９８】
上述したボイスメッセージを検索するためのプロセス６００、６５０、及び６７０は、見掛け上特定の順序で生じる多数のオペレーションを含むが、このプロセスは、より多くのオペレーションを含んでもよいし、より少数のオペレーションを含んでもよいことが明らかであろう。更に、２つ以上のオペレーションの順序は、変更されてもよいし、及び／又は２つ以上のオペレーションを合成して１つのオペレーションにしてもよい。
【００９９】
以上、特定の実施形態を参照して本発明を詳細に述べた。しかしながら、前記説明は、余すところのないものではなく、本発明をその正確な形態に限定するものではない。以上の教示に鑑み、多数の変更や修正が考えられる。前記実施形態は、本発明の原理及びその実際の応用を最良に説明するために選択され説明されたもので、当業者であれば、意図された特定の用途に適するように種々の変更を加えて、本発明及び種々の実施形態を最良に利用することができよう。
【図１】
2019164785.tif 000003
【図２】
2019164785.tif 000004
【図３】
2019164785.tif 000005
【図４】
2019164785.tif 000006
【図５Ａ】
2019164785.tif 000007
【図５Ｂ】
2019164785.tif 000008
【図６Ａ】
2019164785.tif 000009
【図６Ｂ】
2019164785.tif 000010
【図６Ｃ】
2019164785.tif 000011
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
タッチスクリーンディスプレイを伴うポータブル電子装置の制御方法であって、該方法は、
第１のボイスメールメッセージに対応する第１のアイテムと、第２のボイスメールメッセージに対応する第２のアイテムとを含む、ボイスメールメッセージに対応するアイテムのリストを前記ディスプレイに表示することと、
前記ボイスメールメッセージに対応するアイテムのリストを表示している間に、前記第１のボイスメールメッセージに対応する前記第１のアイテムのユーザ選択を検出することと、
前記第１のボイスメールメッセージに対応する前記第１のアイテムの前記ユーザ選択を検出することに応答して、前記第２のボイスメールメッセージに対応する前記第２のアイテムの表示を維持しながら、前記ディスプレイにおいて前記第１のアイテムの表示を拡張することと、
前記ディスプレイにおいて前記第１のアイテムの表示を拡張することに応答して、前記拡張された第１のアイテムに、前記第１のボイスメールメッセージを管理することに対応する複数のオプションを表示すること、
を含む、方法。
【請求項２】
請求項１に記載の方法であって、
前記第１のボイスメールメッセージに対応する前記第１のアイテムの前記ユーザ選択を検出することに応答して、前記ディスプレイに再生アフォーダンスを表示することと、
前記アフォーダンスのユーザ選択を検出することに応答して、前記第１のボイスメールメッセージを再生すること、を更に含む、方法。
【請求項３】
請求項２に記載の方法であって、
前記第１のボイスメールメッセージを再生している間に、前記第１のボイスメールメッセージの進行の表示を進行バーに表示すること、を更に含む、方法。
【請求項４】
請求項１から３のいずれか１項に記載の方法であって、
前記拡張された第１のアイテムにおいて、前記第１のボイスメールメッセージを管理することに対応する前記複数のオプションを表示している間に、前記複数のオプションの第１のオプションのユーザ選択を検出することと、
前記第１のオプションの前記ユーザ選択を検出することに応答して、前記第１のボイスメールメッセージを削除すること、を更に含む、方法。
【請求項５】
請求項１から４のいずれか１項に記載の方法であって、
前記ボイスメールメッセージに対応するアイテムのリストを表示している間に、前記第１のアイテムが未読ボイスメールメッセージに対応するという表示を前記ディスプレイに表示すること、を更に含む、方法。
【請求項６】
請求項１から５のいずれか１項に記載の方法であって、
スクロールジェスチャーを検出することと、
前記スクロールジェスチャーを検出することに応答して、前記ボイスメールメッセージのリストをスクロールすること、を更に含む、方法。
【請求項７】
請求項６に記載の方法であって、前記スクロールジェスチャーを検出することは、前記タッチスクリーン上の前記ユーザの指の垂直方向の移動を検出することを含む、方法。
【請求項８】
請求項６または７に記載の方法であって、前記スクロールジェスチャーは、前記タッチスクリーン上の水平成分を含み、前記スクロールジェスチャーを検出することは、前記タッチスクリーン上の前記ジェスチャーの前記水平成分とは独立している、方法。
【請求項９】
請求項１から８のいずれか１項に記載の方法であって、
前記第１のボイスメールメッセージに対応する前記第１のアイテムの前記ユーザ選択を検出することに応答して、前記リストにおける前記第１のアイテムを強調表示すること、を更に含む、方法。
【請求項１０】
タッチスクリーンディスプレイを伴うポータブル電子装置に、請求項１から９のいずれか１項に記載の方法を実行させるコンピュータプログラム。
【請求項１１】
請求項１０に記載のコンピュータプログラムを格納するメモリと、
前記メモリに格納された前記コンピュータプログラムを実行することが可能な１つ以上のプロセッサと、を含むポータブル電子装置。
【請求項１２】
請求項１から９のいずれか１項に記載の方法を実行するための手段を有するポータブル電子装置。
【外国語明細書】
2019164785000001.pdf